(57)【要約】      （修正有）【課題】立体的に組み立てることができる表示体と、取り付けた表示体を立体的に組み立てた状態で維持できる取付体を備えた表示装置において、多少の衝撃や、やや強い風を受けた場合でも、表示体が支持体から簡単に外れてしまうことを防止できるようにする。【解決手段】表示装置Ａ１は、底部側開口１０を閉じようとする自己閉鎖性を有し、底部側開口１０を開いて立体的に組み立てることができる表示体１と、表示体１を着脱自在に取り付けでき、取り付けた表示体１を立体的に組み立てた状態で維持できる取付部材２と、を備えている。表示体１の自己閉鎖性によって底部側開口１０が閉じる方向に力が作用することにより、取付部材２に対する表示体１の取り付けが維持されるように構成されている。【選択図】図３
2007249159.tif 000002
【特許請求の範囲】
【請求項１】
基部側開口(10)を閉じようとする自己閉鎖性を有し、該自己閉鎖性に抗して基部側開口(10)を開いて立体的に組み立てることができる表示体(1)と、
該表示体(1)を着脱可能に取り付けでき、取り付けた表示体(1)を立体的に組み立てた状態で維持できる取付体(2)と、
を備えており、
上記表示体(1)の自己閉鎖性によって基部側開口(10)が閉じる方向に力が作用することで、取付体(2)に対する表示体(1)の取り付けが維持されるように構成されている、
表示装置。
【請求項２】
基部側開口(10)を閉じようとする自己閉鎖性を有し、該自己閉鎖性に抗して基部側開口(10)を開いて立体的に組み立てることができる表示体(1)と、
該表示体(1)を着脱可能に取り付けでき、取り付けた表示体(1)を立体的に組み立てた状態で維持できる取付体(2)と、
を備えており、
上記表示体(1)または取付体(2)の何れか一方に係止要素(221,231)が設けてあり、他方に上記係止要素(221,231)と係合する係合要素(111,112)が設けてあり、
表示体(1)の自己閉鎖性によって基部側開口(10)が閉じる方向に力が作用することにより、係止要素(221,231)に対する係合要素(111,112)の係合を維持できるように構成されている、
表示装置。
【請求項３】
基部側開口(10)を閉じようとする自己閉鎖性を有し、該自己閉鎖性に抗して基部側開口(10)を開いて立体的に組み立てることができる表示体(1)と、
該表示体(1)を着脱可能に取り付けでき、取り付けた表示体(1)を立体的に組み立てた状態で維持できる取付体(2)と、
を備えており、
上記表示体(1)または取付体(2)の何れか一方に係止要素(221,231)が設けてあり、他方に上記係止要素(221,231)と係合する係合要素(111,112)が設けてあり、
上記表示体(1)の自己閉鎖性によって基部側開口(10)が閉じる方向に力が作用することにより、係止要素(221,231)に対する係合要素(111,112)の係合を維持できるように構成されており、
上記表示体(1)側または取付体(2)側には、上記取付体(2)に取り付けた表示体(1)の基部側開口(10)が開くことを抑制して、係止要素(221,231)に対する係合要素(111,112)の係合が解除されることを防止する係合解除防止要素(3)が設けてある、
表示装置。
【請求項４】
基部側開口(10)が開くように表示体(1)に外力を加えることにより、取付体(2)に対する表示体(1)の取り付けが解除されるように構成されている、
請求項１，２または３記載の表示装置。
【請求項５】
係合解除防止要素(3)は変形性を有しており、表示体(1)に係合解除防止要素(3)を変形させる外力を加えることによって表示体(1)の基部側開口(10)が開いて係止要素(221,231)に対する係合要素(111,112)の係合を解除できるように構成されている、
請求項３記載の表示装置。
【請求項６】
基部側開口(10)を閉じようとする自己閉鎖性を有し、該自己閉鎖性に抗して基部側開口(10)を開いて立体的に組み立てることができる表示体(1e)と、
該表示体(1e)を着脱可能に取り付けでき、取り付けた表示体(1e)を立体的に組み立てた状態で維持できる取付体(2e)(2f)と、
を備えており、
上記表示体(1e)の自己閉鎖性によって基部側開口(10)が閉じる方向に力が作用することで、取付体(2e)(2f)に対する表示体(1e)の取り付けが維持されるように構成されており、
取付体(2e)(2f)は、基部側開口(10)の内側から表示体(1e)と当接する当接要素(21e)(64)と、該当接状態が解除されることを防止する当接解除防止要素(43)(61)と、を備えている、
表示装置。
【請求項７】
基部側開口(10)を閉じようとする自己閉鎖性を有し、該自己閉鎖性に抗して基部側開口(10)を開くことにより少なくとも基部側を筒状または管状に組み立てることができる表示体(1j)と、
該表示体(1j)を着脱可能に取り付けでき、取り付けた表示体(1j)の少なくとも基部側を筒状または管状に組み立てた状態で維持できる取付体(2j)と、
を備えており、
上記表示体(1j)に係合孔(15,15)が設けてあり、上記取付体(2j)に上記係合孔(15,15)と係合する係止突部(52,52)が設けてあり、
上記表示体(1j)の自己閉鎖性によって基部側開口(10)が閉じる方向に力が作用することにより、上記係合孔(15,15)に対する係止突部(52,52)の係合を維持できるように構成されており、
上記係止突部(52,52)には、上記取付体(2j)に取り付けた表示体(1j)の基部側開口(10)が開くことを抑制して、上記係合孔(15,15)に対する係止突部(52,52)の係合が解除されることを防止する係合解除防止要素(526,526)が設けてある、
表示装置。
【請求項８】
基部側開口(10)を閉じようとする自己閉鎖性を有し、該自己閉鎖性に抗して基部側開口(10)を開くことにより少なくとも基部側を筒状または管状に組み立てることができる表示体(1j)と、
該表示体(1j)を着脱可能に取り付けでき、取り付けた表示体(1j)の少なくとも基部側を筒状または管状に組み立てた状態で維持できる取付体(2j)と、
を備えており、
表示体(1j)及び取付体(2j)はシート状、薄板状または平面状に折り畳むことができるように構成されており、
上記表示体(1j)は、向かい合うようにして配置された一対の係合孔(15,15)を有し、
上記取付体(2j)は、接地面を有する基板(53)と、上記係合孔(15,15)と係合する一対の係止突部(52,52)を有する係止部材(54)を備え、
該取付体(2j)に表示体(1j)を取り付けた状態では、該取付体(2j)の係止部材(54)に表示体(1j)の基部側が嵌め込まれると共に、該係止部材(54)の係止突部(52,52)に表示体(1j)の係合孔(15,15)が嵌め込まれ、更に上記表示体(1j)の自己閉鎖性によって基部側開口(10)が閉じる方向に力が作用することにより、上記係合孔(15,15)に対する係止突部(52,52)の係合を維持できるように構成されており、
上記係止突部(52,52)には、上記取付体(2j)に取り付けた表示体(1j)の基部側開口(10)が開くことを抑制して、上記係合孔(15,15)に対する係止突部(52,52)の係合が解除されることを防止する係合解除防止要素(526,526)が設けてある、
表示装置。
【請求項９】
基部側開口(10)を閉じようとする自己閉鎖性を有し、該自己閉鎖性に抗して基部側開口(10)を開いて立体的に組み立てることができる表示体(1b)と、
該表示体(1b)を着脱可能に取り付けでき、取り付けた表示体(1b)を立体的に組み立てた状態で維持できる取付体(2b)と、
を備えており、
上記取付体(2b)には所要の間隔をおいて係止突起(215a,215b)が並設されており、
上記表示体(1b)には、上記係止突起(215a,215b)に係合する係合孔(115a,115b)が所要の間隔をおいて並設されており、
上記係止突起(215a,215b)は、係合した係合孔(115a,115b)が係止突起(215a,215b)から外れることを防止する外れ防止要素(216,216)を有し、
上記表示体(1b)の自己閉鎖性によって係合孔(115a,115b)間の距離を拡げる力が働くことにより、係合孔(115a,115b)に対し外れ防止要素(216,216)が作用して表示体(1b)が取付体(2b)から外れることを防止でき、
上記係合孔(115a,115b)間の距離を狭めることができる外力を表示体(1b)に加えることにより、係合孔(115a,115b)に対する外れ防止要素(216,216)の作用が解除されて表示体(1b)を取付体(2b)から取り外すことができるように構成されている、
表示装置。
【請求項１０】
基部側開口(10)を閉じようとする自己閉鎖性を有し、該自己閉鎖性に抗して基部側開口(10)を開いて立体的に組み立てることができる表示体(1b)と、
該表示体(1b)を着脱可能に取り付けでき、取り付けた表示体(1b)を立体的に組み立てた状態で維持できる取付体(2b)と、
を備えており、
上記取付体(2b)には所要の間隔をおいて係止突起(215a,215b)が並設されており、
上記表示体(1b)には、上記係止突起(215a,215b)に差し込むことができる係合孔(115a,115b)が所要の間隔をおいて並設されており、
各係止突起(215a,215b)には、係合した係合孔(115a,115b)が係止突起(215a,215b)から外れることを防止する凹部(216,216)または径小部(217,217)がそれぞれ設けてあり、
上記表示体(1b)の自己閉鎖性によって係合孔(115a,115b)間の距離を拡げる力が働くことにより、係合孔(115a,115b)が凹部(216,216)または径小部(217,217)に嵌り込んで表示体(1b)が取付体(2b)から外れることを防止でき、
上記係合孔(115a,115b)間の距離を狭めることができる外力を表示体(1b)に加えることにより、係合孔(115a,115b)が凹部(216,216)または径小部(217,217)から外れて表示体(1b)を取付体(2b)から取り外すことができるように構成されている、
表示装置。
【請求項１１】
表示体(1j)及び取付体(2j)は折り畳むことができるように構成されている、
請求項１ないし７、９ないし１０のいずれかに記載の表示装置。
【請求項１２】
取付体(2k)を一枚の構成シート(550)で立体的に組み立てることができる、
請求項１ないし１１のいずれかに記載のいずれかに記載の表示装置。
【請求項１３】
取付体(2n)は重り体(73)を置くための載置スペース(S1)(S2)、あるいは重り体(73)を倒れないようにして置くための載置スペース(S1)(S2)を備えており、
表示装置は、該取付体(2n)に表示体(1n)を取り付けた状態では、取付体(1n)に置いた重り体(73)が表示体(1n)内に隠れて外から見えなくなるように構成されている、
請求項１ないし１２のいずれかに記載の表示装置。
【請求項１４】
表示体(1f)は、立て札(71,72)の取り付けが可能な取付要素を備えている、
請求項１ないし１３のいずれかに記載の表示装置。
【請求項１５】
表示体(1h)は、書類(P)を出し入れ可能に収容できる収容要素(19)を備えている、
請求項１ないし１４のいずれかに記載の表示装置。
【請求項１６】
外側に表示面(101)を有しており、表示体(1s)に着脱可能に被せることができる表示シート(100)を備えている、
請求項１ないし１５のいずれかに記載の表示装置。
【請求項１７】
取付体(2d)(2s)は、重りのための液体または流動性固体を入れる空所(200)を内部に有している、
請求項１ないし１６のいずれかに記載の表示装置。
【発明の詳細な説明】
【技術分野】
【０００１】
本発明は、表示装置に関する。
更に詳しくは、立体的に組み立てることができる表示体と、着脱自在に取り付けできる表示体を立体的に組み立てた状態で維持できる取付体を備えた表示装置において、多少の衝撃ややや強い風を受けた場合でも、表示体が取付体から簡単に外れてしまうことを防止できるようにしたものに関する。
【背景技術】
【０００２】
従来より、厚紙や合成樹脂製シートを使用して折り畳み可能とした組み立て式の簡易立て看板が提案されている（例えば特許文献１）。この種の簡易立て看板は、比較的軽量で折り畳めることから持ち運びや保管に便利である。
【０００３】
特許文献１（図５０参照）には、厚紙製のパネル体９０と、このパネル体９０を差し込んで立てるための支持部材９００からなる簡易立て看板装置が提案されている。パネル体９０は、左右両側縁が折曲自在部９１，９２を介して相互に連結された前面板９３及び後面板９４を有する。
【特許文献１】登録実用新案第３０９３４２２号公報
【発明の開示】
【発明が解決しようとする課題】
【０００４】
上記した従来の簡易立て看板は、図５０に示すように、支持部材９００から看板本体であるパネル体９０を簡単に取り外して折り畳むことができるため、店内における広告用看板としては好適であると思われる。
しかしながら、従来のものは、パネル体９０と支持部材９００の固定が十分ではなかったため、混雑した店内で客がぶつかると、支持部材９００からパネル体９０が簡単に外れて転倒してしまうという欠点がある。また店先等の屋外に置いた場合には、仮に支持部材９００を地面に固定したとしても、風の影響で支持部材９００からパネル体９０が簡単に外れやすい。万一、パネル体９０が外れてしまった場合には、通行人や通行車両に接触し危険である。
【０００５】
（本発明の目的）
そこで本発明の目的は、立体的に組み立てることができる表示体と、着脱自在に取り付けできる表示体を立体的に組み立てた状態で維持できる取付体を備えた表示装置において、多少の衝撃ややや強い風を受けた場合でも、表示体が取付体から簡単に外れてしまうことを防止できるようにすることにある。
【０００６】
本発明の他の目的は、多少の衝撃や風の影響などを受けたとしても表示体が取付体から容易に外れないようにすると共に、表示装置の不使用時には簡単な操作で表示体を取り外すことができるようにすることにある。
【０００７】
また本発明の他の目的は、運搬や保管などがしやすいように、不使用時には折り畳むことができるようにすることにある。
更に本発明の他の目的は、表示装置の安定性を向上させて表示装置の転倒を防止することにある。
その他の本発明の目的は以下の説明から明らかになろう。
【課題を解決するための手段】
【０００８】
上記目的を達成するために本発明が講じた手段は次のとおりである。
なお、後述する作用の説明の理解を助けるため、図面において使用した符号を括弧を用いて記載しているが、各構成要件を図面記載のものに限定するものではない。
【０００９】
本発明は、基部側開口(10)を閉じようとする自己閉鎖性を有し、該自己閉鎖性に抗して基部側開口(10)を開いて立体的に組み立てることができる表示体(1)と、該表示体(1)を着脱可能に取り付けでき、取り付けた表示体(1)を立体的に組み立てた状態で維持できる取付体(2)と、を備えており、上記表示体(1)の自己閉鎖性によって基部側開口(10)が閉じる方向に力が作用することで、取付体(2)に対する表示体(1)の取り付けが維持されるように構成されている、表示装置である。
【００１０】
本発明は、基部側開口(10)を閉じようとする自己閉鎖性を有し、該自己閉鎖性に抗して基部側開口(10)を開いて立体的に組み立てることができる表示体(1)と、該表示体(1)を着脱可能に取り付けでき、取り付けた表示体(1)を立体的に組み立てた状態で維持できる取付体(2)と、を備えており、上記表示体(1)または取付体(2)の何れか一方に係止要素(221,231)が設けてあり、他方に上記係止要素(221,231)と係合する係合要素(111,112)が設けてあり、表示体(1)の自己閉鎖性によって基部側開口(10)が閉じる方向に力が作用することにより、係止要素(221,231)に対する係合要素(111,112)の係合を維持できるように構成されている、表示装置である。
【００１１】
本発明は、基部側開口(10)を閉じようとする自己閉鎖性を有し、該自己閉鎖性に抗して基部側開口(10)を開いて立体的に組み立てることができる表示体(1)と、該表示体(1)を着脱可能に取り付けでき、取り付けた表示体(1)を立体的に組み立てた状態で維持できる取付体(2)と、を備えており、上記表示体(1)または取付体(2)の何れか一方に係止要素(221,231)が設けてあり、他方に上記係止要素(221,231)と係合する係合要素(111,112)が設けてあり、上記表示体(1)の自己閉鎖性によって基部側開口(10)が閉じる方向に力が作用することにより、係止要素(221,231)に対する係合要素(111,112)の係合を維持できるように構成されており、上記表示体(1)側または取付体(2)側には、上記取付体(2)に取り付けた表示体(1)の基部側開口(10)が開くことを抑制して、係止要素(221,231)に対する係合要素(111,112)の係合が解除されることを防止する係合解除防止要素(3)が設けてある、表示装置である。
【００１２】
本発明は、上記基部側開口(10)が開くように表示体(1)に外力を加えることにより、取付体(2)に対する表示体(1)の取り付けが解除されるように構成されている、表示装置である。
【００１３】
本発明は、上記係合解除防止要素(3)は変形性を有しており、表示体(1)に係合解除防止要素(3)を変形させる外力を加えることによって表示体(1)の基部側開口(10)が開いて係止要素(221,231)に対する係合要素(111,112)の係合を解除できるように構成されている、表示装置である。
【００１４】
本発明は、基部側開口(10)を閉じようとする自己閉鎖性を有し、該自己閉鎖性に抗して基部側開口(10)を開いて立体的に組み立てることができる表示体(1e)と、該表示体(1e)を着脱可能に取り付けでき、取り付けた表示体(1e)を立体的に組み立てた状態で維持できる取付体(2e)(2f)と、を備えており、上記表示体(1e)の自己閉鎖性によって基部側開口(10)が閉じる方向に力が作用することで、取付体(2e)(2f)に対する表示体(1e)の取り付けが維持されるように構成されており、取付体(2e)(2f)は、基部側開口(10)の内側から表示体(1e)と当接する当接要素(21e)(64)と、該当接状態が解除されることを防止する当接解除防止要素(43)(61)と、を備えている、表示装置である。
【００１５】
本発明は、基部側開口(10)を閉じようとする自己閉鎖性を有し、該自己閉鎖性に抗して基部側開口(10)を開くことにより少なくとも基部側を筒状または管状に組み立てることができる表示体(1j)と、該表示体(1j)を着脱可能に取り付けでき、取り付けた表示体(1j)の少なくとも基部側を筒状または管状に組み立てた状態で維持できる取付体(2j)と、を備えており、上記表示体(1j)に係合孔(15,15)が設けてあり、上記取付体(2j)に上記係合孔(15,15)と係合する係止突部(52,52)が設けてあり、上記表示体(1j)の自己閉鎖性によって基部側開口(10)が閉じる方向に力が作用することにより、上記係合孔(15,15)に対する係止突部(52,52)の係合を維持できるように構成されており、上記係止突部(52,52)には、上記取付体(2j)に取り付けた表示体(1j)の基部側開口(10)が開くことを抑制して、上記係合孔(15,15)に対する係止突部(52,52)の係合が解除されることを防止する係合解除防止要素(526,526)が設けてある、表示装置である。
【００１６】
本発明は、基部側開口(10)を閉じようとする自己閉鎖性を有し、該自己閉鎖性に抗して基部側開口(10)を開くことにより少なくとも基部側を筒状または管状に組み立てることができる表示体(1j)と、該表示体(1j)を着脱可能に取り付けでき、取り付けた表示体(1j)の少なくとも基部側を筒状または管状に組み立てた状態で維持できる取付体(2j)と、を備えており、表示体(1j)及び取付体(2j)はシート状、薄板状または平面状に折り畳むことができるように構成されており、上記表示体(1j)は、向かい合うようにして配置された一対の係合孔(15,15)を有し、上記取付体(2j)は、接地面を有する基板(53)と、上記係合孔(15,15)と係合する一対の係止突部(52,52)を有する係止部材(54)を備え、該取付体(2j)に表示体(1j)を取り付けた状態では、該取付体(2j)の係止部材(54)に表示体(1j)の基部側が嵌め込まれると共に、該係止部材(54)の係止突部(52,52)に表示体(1j)の係合孔(15,15)が嵌め込まれ、更に上記表示体(1j)の自己閉鎖性によって基部側開口(10)が閉じる方向に力が作用することにより、上記係合孔(15,15)に対する係止突部(52,52)の係合を維持できるように構成されており、上記係止突部(52,52)には、上記取付体(2j)に取り付けた表示体(1j)の基部側開口(10)が開くことを抑制して、上記係合孔(15,15)に対する係止突部(52,52)の係合が解除されることを防止する係合解除防止要素(526,526)が設けてある、表示装置である。
【００１７】
本発明は、基部側開口(10)を閉じようとする自己閉鎖性を有し、該自己閉鎖性に抗して基部側開口(10)を開いて立体的に組み立てることができる表示体(1b)と、該表示体(1b)を着脱可能に取り付けでき、取り付けた表示体(1b)を立体的に組み立てた状態で維持できる取付体(2b)と、を備えており、上記取付体(2b)には所要の間隔をおいて係止突起(215a,215b)が並設されており、上記表示体(1b)には、上記係止突起(215a,215b)に係合する係合孔(115a,115b)が所要の間隔をおいて並設されており、上記係止突起(215a,215b)は、係合した係合孔(115a,115b)が係止突起(215a,215b)から外れることを防止する外れ防止要素(216,216)を有し、上記表示体(1b)の自己閉鎖性によって係合孔(115a,115b)間の距離を拡げる力が働くことにより、係合孔(115a,115b)に対し外れ防止要素(216,216)が作用して表示体(1b)が取付体(2b)から外れることを防止でき、上記係合孔(115a,115b)間の距離を狭めることができる外力を表示体(1b)に加えることにより、係合孔(115a,115b)に対する外れ防止要素(216,216)の作用が解除されて表示体(1b)を取付体(2b)から取り外すことができるように構成されている、表示装置である。
【００１８】
本発明は、基部側開口(10)を閉じようとする自己閉鎖性を有し、該自己閉鎖性に抗して基部側開口(10)を開いて立体的に組み立てることができる表示体(1b)と、該表示体(1b)を着脱可能に取り付けでき、取り付けた表示体(1b)を立体的に組み立てた状態で維持できる取付体(2b)と、を備えており、上記取付体(2b)には所要の間隔をおいて係止突起(215a,215b)が並設されており、上記表示体(1b)には、上記係止突起(215a,215b)に差し込むことができる係合孔(115a,115b)が所要の間隔をおいて並設されており、各係止突起(215a,215b)には、係合した係合孔(115a,115b)が係止突起(215a,215b)から外れることを防止する凹部(216,216)または径小部(217,217)がそれぞれ設けてあり、上記表示体(1b)の自己閉鎖性によって係合孔(115a,115b)間の距離を拡げる力が働くことにより、係合孔(115a,115b)が凹部(216,216)または径小部(217,217)に嵌り込んで表示体(1b)が取付体(2b)から外れることを防止でき、上記係合孔(115a,115b)間の距離を狭めることができる外力を表示体(1b)に加えることにより、係合孔(115a,115b)が凹部(216,216)または径小部(217,217)から外れて表示体(1b)を取付体(2b)から取り外すことができるように構成されている、表示装置である。
【００１９】
上記表示体(1j)及び取付体(2j)は折り畳むことができることが好ましい。また取付体(2k)は一枚の構成シート(550)で立体的に組み立てることができることが好ましい。
【００２０】
本発明は、上記取付体(2n)が重り体(73)を置くための載置スペース(S1)(S2)、あるいは重り体(73)を倒れないようにして置くための載置スペース(S1)(S2)を備えており、表示装置は、該取付体(2n)に表示体(1n)を取り付けた状態では、取付体(1n)に置いた重り体(73)が表示体(1n)内に隠れて外から見えなくなるように構成されている、表示装置である。
【００２１】
表示体(1f)は立て札(71,72)の取り付けが可能な取付要素を備えていることが好ましい。また表示体(1h)は、書類(P)を出し入れ可能に収容できる収容要素(19)を備えていることが好ましい。
【００２２】
本発明は、外側に表示面(101)を有しており、上記表示体(1s)に着脱可能に被せることができる表示シート(100)を備えている、表示装置である。
【００２３】
本発明は、上記取付体(2d)(2s)が重りのための液体または流動性固体を充填して空所(200)を内部に有している、表示装置である。
【００２４】
本明細書及び特許請求の範囲における「表示体」の材料としては、例えばシート状、薄板状または平面状の材料（シート状材料、薄板状材料、平面状材料）が好適に使用できる。シート状、薄板状または平面状の材料としては、例えば厚紙や段ボール等の紙製材料（紙製シート等）や合成樹脂製材料（合成樹脂シート等）、あるいはアルミニウムやステンレス製の金属製材料を挙げることができる。
【００２５】
紙製材料としては、雨等で濡れた際に強度の低下を防止できるように、例えば表面に防水性のシートまたはフィルムを貼り合わせたものや、表面に化学薬品を塗布または散布して防水処理を施したものが好適に使用できる。
【００２６】
また、金属製材料を使用した場合は、上記したアルミニウムなどの軽量金属が好適に使用できる。更に、金属製材料を使用した場合は、同じく雨等で濡れた際に表面が錆びないように、錆び防止処理を施したものが好適に使用できる。また更に、金属製材料を使用した場合は、人が接触しても怪我しないように、角を落としたり、曲げ加工を施して鋭角な箇所がないようにした形状が好ましい。
【００２７】
本発明に係る表示装置の使用場所は特に限定されず、店内や店先に限らず、例えば屋外にも使用できる広告表示板として、あるいは例えば空き地に「売地」等を表示する立て看板等としても使用できる。
【００２８】
（作  用）
本発明に係る表示装置は、次のように作用する。
表示装置は、表示体(1)と、表示体(1)を立体的に組み立てた状態で維持できる取付体(2)とを備えている。そして、表示体(1)は取付体(2)に着脱自在に取り付けできるので、表示装置の不使用時には、表示体(1)と取付体(2)を分けて保管や運搬ができる。
【００２９】
そして、表示装置を使用する際は、表示体(1)の自己閉鎖性に抗して底部側開口(10)を開いて表示体(1)を立体的に組み立てる。そして、立体的に組み立てた表示体(1)を取付体(2)に取り付けることで、表示体(1)を立体的に組み立てた状態で維持できる。
【００３０】
表示体(1)を取付体(2)に取り付けた状態では、表示体(1)の自己閉鎖性によって底部側開口(10)が閉じる方向に力が作用することにより、取付体(2)に対する表示体(1)の取り付けが維持される。これにより、多少の衝撃ややや強い風を受けたとしても、表示体(1)が取付体(2)から簡単に外れてしまうことはない。
【００３１】
表示体(1)または取付体(2)の何れか一方に係止要素(221,231)が設けてあり、他方に上記係止要素(221,231)と係合する係合要素(111,112)が設けてあるものは、表示体(1)を取付体(2)に取り付けた状態では、表示体(1)または取付体(2)の何れか一方に設けてある係止要素(221,231)が他方に設けてある係合要素(111,112)と係合する。そして、表示体(1)は、底部側開口(10)を閉じようとする自己閉鎖性を有しており、この自己閉鎖性によって底部側開口(10)が閉じる方向に力が作用して係止要素(221,231)に対する係合要素(111,112)の係合を維持される。これにより、多少の衝撃ややや強い風を受けたとしても、表示体(1)が取付体(2)から簡単に外れてしまうことはない。
【００３２】
表示体(1)側または取付体(2)側に係合解除防止要素(3)が設けてあるものは、この係合解除防止要素(3)が表示体(1)の底部側開口(10)が開くことを抑制して、係止要素(221,231)に対する係合要素(111,112)の係合が解除されることを防止する。
【００３３】
底部側開口(10)が開くように表示体(1)に外力を加えることにより、取付体(2)に対する表示体(1)の取り付けが解除されるように構成されているものは、表示体(1)に外力を加えて表示体(1)を取り外す。
【００３４】
変形性を有する係合解除防止要素(3)を備えているものでは、表示体(1)を取付体(2)から取り外す際に、表示体(1)に係合解除防止要素(3)を変形させる外力を加える。外力を加えることで、表示体(1)の底部側開口(10)が開いて係止要素(221,231)に対する係合要素(111,112)の係合が解除され、取付体(2)から表示体(1)を取り外せるようになる。
【００３５】
取付体(2e)が当接要素(21e)と当接解除防止要素(43)(61)とを備えているものは、表示体(1)を取付体(2e)に取り付けた状態では、取付体(2e)の当接要素(21e)が表示体(1)の底部側開口(10)の内側で表示体(1)と当接する。表示体(1)には自己閉鎖性によって底部側開口(10)が閉じる方向に力が作用するので、表示体(1)は取付体(2e)の当接要素(21e)と強く当接する。更に、取付体(2e)が有する当接解除防止要素(43)(61)によって、この当接状態が解除されることが防止される。
【００３６】
表示体(1j)が向かい合うようにして配置された一対の係合孔(15,15)を有し、取付体(2)が、接地面を有する基板(53)と、上記係合孔(15,15)と係合する一対の係止突部(52,52)を有する係止部材(54)を備えているものでは、該取付体(2j)に表示体(1j)を取り付けると、該取付体(2)の係止部材(54)に表示体(1j)の基部側が嵌め込まれると共に、該係止部材(54)の係止突部(52,52)に表示体(1j)の係合孔(15,15)が嵌め込まれる。更に上記表示体(1j)の自己閉鎖性によって基部側開口(10)が閉じる方向に力が作用することによって、上記係合孔(15,15)に対する係止突部(52,52)の係合が維持される。
【００３７】
取付体(2b)に所要の間隔をおいて係止突起(215a,215b)並設されており、表示体(1b)に上記係止突起(215a,215b)に係合する係合孔(115a,115b)が所要の間隔をおいて並設されているものは、次のように作用する。
即ち、表示体(1b)を取付体(2b)に取り付けると、表示体(1b)の自己閉鎖性によって係合孔(115a,115b)間の距離を拡げる力が作用し、その結果、例えば凹部(216)または径小部(217)等で構成される係止突起(215a,215b)の凹部または径小部等の外れ防止要素が係合孔(115a,115b)に対して作用する。外れ防止要素(216,216)が作用することで、差し込まれた係合孔(115a,115b)が係止突起(215a,215b)から外れることが防止される。
また、取付体(2b)から表示体(1b)を取り外す際には、表示体(1b)に外力を加えて係合孔(115a,115b)間の距離を狭める。これにより、係合孔(115a,115b)に対する外れ防止要素の作用が解除されて、表示体(1b)を取付体(2b)から取り外すことができる。
【００３８】
表示体(1j)及び取付体(2j)がシート状、薄板状または平面状に折り畳むことができるように構成されているものは、不使用時には表示体(1j)及び取付体(2j)をシート状、薄板状または平面状に折り畳んで複数重ねれば良い。表示体(1j)及び取付体(2j)が折り畳むことができるように構成されているものについても、不使用時に表示体(1j)及び取付体(2j)を折り畳んでコンパクトな形状にする。
【００３９】
取付体(2k)を一枚の構成シート(550)で立体的に組み立てることができるものは、不使用時には取付体(2k)を展開して構成シート(550)の状態にしておき、表示体と共に表示装置を構成するときには、構成シート(550)を立体的に組み立て、表示体を取り付ける取付体(2k)を構成する。
【００４０】
取付体が重り体を置くための載置スペース、あるいは重り体を倒れないようにして置くための載置スペースを備えているものは、重り体を取付体に置いて表示装置の土台部分の安定性を向上させる。また、取付体に置いた重り体は表示体内に隠れて外から見えないので、例えば「ペットボトル」等の使用済みの飲料用容器を重り体として再利用した場合でも、表示装置としての見た目が損なわれない。
【００４１】
立て札(71,72)の取り付けが可能な取付要素を表示体(1)が備えているものでは、表示体に表示した以外の情報を提供したい場合に、立て札(71,72)を表示体(1)に取り付ける。
【００４２】
表示体(1)が書類(P)を出し入れ可能に収容できる収容要素(19)を備えているものでは、例えば本発明を商品の広告用看板として使用する場合には、店のチラシや商品のカタログ等を表示体(1)に入れることができる。
【００４３】
外側に表示面(101)を有しており、上記表示体(1s)に着脱可能に被せることができる表示シート(100)を備えているものでは、表示体(1s)にではなく、表示体(1s)に被せる表示シート(100)側に例えば商品の広告や店の宣伝等の各種の表示を施す。そして、各種の表示を施した表示シート(100)を複数揃えておけば、表示シート(100)を取り換えるだけで、同じ表示体(1s）を繰り返して使用できる。
【００４４】
上記取付体(2d)(2s)が重りのための液体または流動性固体を入れる空所(200)を内部に有しているものでは、空所(200)に入れる液体または流動性固体の量によって、土台となる取付部材(2s)の重量を適宜調整して、接地面に対する安定性を構造させる。
【発明の効果】
【００４５】
本発明は上記構成を備え、次の効果を有する。
（ａ）本発明によれば、表示体の自己閉鎖性によって底部側開口が閉じる方向に力が作用することにより、取付体に対する表示体の取り付けが維持されるので、多少の衝撃や、やや強い風を受けたとしても、表示体が取付体から簡単に外れてしまうことはない。
【００４６】
（ｂ）また本発明によれば、表示体または取付体の何れか一方に設けてある係止要素が他方に設けてある係合要素と係合すると共に、表示体が有する底部側開口を閉じようとする自己閉鎖性によって係止要素に対する係合要素の係合が維持されるので、多少の衝撃ややや強い風を受けたとしても、表示体が取付体から簡単に外れてしまうことはない。
【００４７】
（ｃ）係合解除防止要素を備えているものは、この係合解除防止要素が表示体の底部側開口が開くことを抑制することで、係止要素に対する係合要素の係合が解除されることを防止する。これにより、表示体が取付体から簡単に外れてしまうことをより確実に防止できる。
【００４８】
（ｄ）底部側開口が開くように表示体に外力を加えることにより、取付体に対する表示体取り付けが解除されるように構成されているものは、表示体に外力を加えるだけで、簡単に表示体を取り外すことができる。
【００４９】
（ｅ）表示体側または取付体側に変形性を有する係合解除防止要素が設けてあるものは、係合解除防止要素を変形させる外力を表示体に加えるだけで、取付体から表示体を取り外すことができる。このように、表示装置の不使用時には、簡単な操作で表示体を取り外すことができる。
【００５０】
（ｆ）取付体が当接要素と当接解除防止要素とを備えているものは、当接要素が表示体に強く当接すると共に、当接解除防止要素がこの当接状態が解除されることを防止するので、多少の衝撃ややや強い風を受けたとしても、表示体が取付体から簡単に外れてしまうことを防止できる。
【００５１】
（ｇ）取付体に所要の間隔をおいて係止突起が並設してあり、表示体に上記係止突起に差し込むことができる係合孔が所要の間隔をおいて並設してあるものは、表示体を取付体に取り付けると、表示体の自己閉鎖性によって係合孔間の距離を拡げる力が作用して、係止突起の凹部または径小部等の外れ防止要素が係合孔に対して作用するようになる。この作用によって、差し込まれた係合孔が係止突起から外れることが防止され、表示体が取付体から簡単に外れてしまうことを防止する。
また、取付体から表示体を取り外す際には、表示体に外力を加えて係合孔間の距離を狭める。これにより、係合孔に対する外れ防止要素の作用が解除され、表示体を取付体から取り外すことができる。
つまり、係合孔間の距離を狭めるような外力を表示体に加えない限り、表示体が取付体から簡単に外れることはない反面、係合孔間の距離を狭めるような外力を単に加えれば、容易に表示体を取付体から取り外すことができる。
【００５２】
（ｈ）表示体及び取付体がシート状、薄板状または平面状に折り畳むことができるように構成されているものは、不使用時には表示体及び取付体を折り畳んで複数重ねることができるので、運搬や保管などに便利である。
表示体及び取付体がは折り畳むことができるように構成されているものについても、コンパクトな形状にすることができるので、運搬や保管に便利である。
【００５３】
（ｉ）取付体を一枚の構成シートで立体的に組み立てることができるものは、不使用時には取付体を構成シートの状態で運搬や保管などができるので、場所をとられず便利である。また、複数の部品を組み合わせて取付体を製造する場合と比べて、組み立て工程が不要なため、製造が比較的容易である。
【００５４】
（ｊ）取付体が重り体を置くための載置スペース、あるいは重り体を倒れないようにして置くための載置スペースを備えているものは、重り体を取付体に置くことによって表示装置の土台部分の安定性を向上させて、表示装置の転倒を防止することができる。また、取付体に置いた重り体が表示体内に隠れて外から見えなくなるように構成されているものは、例えば「ペットボトル」等の使用済みの飲料用容器を重り体として再利用した場合でも、飲料用容器が外部から見えないので、表示装置としての見た目も良い。
【００５５】
（ｋ）表示体が立て札の取り付けが可能な取付要素を備えているものは、表示体に表示した以外の情報を提供したい場合に、立て札を表示体に取り付けることができる。更に本発明では、やや強い風を受けた場合でも表示体が簡単に外れてしまうことはないので、風の抵抗を受けやすい立て札も比較的支障なく表示体に取り付けることができる。
【００５６】
（ｌ）表示体が書類を出し入れ可能に収容できる収容要素を備えているものは、例えば本発明を商品の広告用看板として使用した場合には、表示体に店のチラシや商品のカタログ等を入れておくことができる。このように、客の注目を引く表示体に店のチラシや商品のカタログを入れておけば、チラシやカタログを手にする客の数を増やして店の売り上げ向上を図ることができる。
【００５７】
（ｍ）外側に表示面を有しており、上記表示体に着脱可能に被せることができる表示シートを備えているものでは、各種の表示を施した表示シートを複数揃えておけば、表示シートを取り換えるだけで、同じ表示体を繰り返し使用できる。
【００５８】
（ｎ）取付体が重りのための液体または流動性固体を入れる空所を内部に有しているものでは、例えば車で移動しなければならないような場所に表示装置を設置するようなときには、その設置現場において水等の液体や砂等の流動性固体を充填するようにすれば、運搬時の取付部材が重くならずに、より多くの表示装置を車に積むことができ、また保管時等の取扱いも容易である。
【発明を実施するための最良の形態】
【００５９】
以下、本発明を実施例により説明するが、本発明はこれらに限定されるものではない。
本発明を図面に示した実施例に基づき更に詳細に説明する。
【実施例１】
【００６０】
図１ないし図３は、本発明に係る表示装置の第１の実施例を示す説明図である。
図１は、本実施例に係る表示装置Ａ１の斜視説明図、
図２は、図１に示す表示装置Ａ１を構成する表示体１を示しており、表示体１を畳んだ状態を表している斜視説明図、
図３は、表示体１と、表示体１を取り付ける取付部材２との係合状態を説明するための分解斜視説明図、
図４は、図１に示す表示装置Ａ１のＩ−Ｉ部分に対応する断面説明図である。
【００６１】
図１ないし図３に示すように、表示装置Ａ１は、立体的に組み立てることができる表示体１と、表示体１を着脱自在に取り付けでき、取り付けた表示体１を立体的に組み立てた状態で維持できる取付体である取付部材２を備えている。
以下、表示装置Ａ１の構成部材について、順に詳しく説明する。
【００６２】
［表示体１］
表示体１は、シート状、薄板状または平面状の材料（例えばシート状材料、薄板状材料または平面状材料）でそれぞれ形成された表側部１１と裏側部１２を有している。シート状、薄板状または平面状の材料としては、例えば厚紙や段ボール等の紙製材料や合成樹脂製材料を挙げることができる。表側部１１と裏側部１２の表面には、印刷、シールあるいは手書き等によって例えば商品の広告や店の宣伝（呼び込み）、または土地販売であれば「売地」等を表示することができる。
【００６３】
シート状、薄板状または平面状の材料として、例えば厚紙や段ボール等の紙製材料を使用した場合では、雨等で濡れた際に強度の低下を防止できるように、表面に防水性のシートまたはフィルムを貼り合わせたものを使用できる。
【００６４】
表側部１１と裏側部１２の幅方向の両側縁側は、連結部１３１，１３２によって折曲自在に連結されている。また、表側部１１と裏側部１２の長手方向の先端縁側（図１で上端縁）は後述する閉じ体１３で閉じられ、基端側（図１で下端縁である底部側）は開口部である基部側開口（底部側開口）１０を備えている。
【００６５】
詳しくは、向かい合わせに配置された二枚の紙製シートの両側縁側を接着やステープル等による固着手段によって連結している。更に、閉じ体１３は帯状の紙製材料を幅方向に二枚に折り曲げて、この折り曲げた閉じ体１３を表側部１１と裏側部１２の先端縁に掛け渡すようにして接着やステープル等による固着手段で固着している。なお、一枚の紙製シートを二枚に折り曲げて、表示体１を製造することもできる。
【００６６】
そして、表示体１は紙製シートが基の形状（シート状、薄板状または平面状の形状）に復帰しようとする力（作用）によって、図３のように開いた基部側開口１０を閉じようとする自己閉鎖性を有している。よって、例えば両手で基部側開口１０を一旦開いても、手を離せば自己閉鎖性によって自然に基部側開口１０が閉じるかまたは本質的に閉じてしまう。
【００６７】
したがって、表示体１を取付部材２から取り外した状態では、図２に示すように、表側部１１と裏側部１２とを合わせた状態でシート状、薄板状または平面状に畳むことができる。更に図１及び図３に示すように、畳んだ表示体１の基部側開口１０を開くことによって、表示体１によって基部側（底部側）が筒状になる立体表示体を組み立てることができる。
【００６８】
図２に示すように、表側部１１及び裏側部１２の基部側（底部側）には、その中央部分にスリット状（長孔状）の孔で構成された係合要素である差込孔１１１，１１２が向かい合わせに配置されている。差込孔１１１，１１２には、後述する取付部材２（図３参照）の係止要素（係止部または係止突部）である係止突条部２２１，２３１が表側部１１と裏側部１２を外方に拡げるように（基部側開口１０を拡げるように）内方から差し込まれる。
【００６９】
［取付部材２］
図３に示す取付部材２は、上記したように、表示体１を着脱自在に取り付けでき、取り付けた表示体１を立体的に組み立てた状態で維持できる。
【００７０】
取付部材２は、平板状の基体である基板２０と、基板２０の略中央部分に固定されている係止部材２１を備えている。基板２０及び係止部材２１は、例えば木製、紙製、合成樹脂製、あるいは金属製などの材料で形成することができる。基板２０及び係止部材２１を比較的重量のある材料で形成すれば、表示装置Ａ１の土台部分が安定するので、多少の衝撃や、やや強い風を受けた場合でも、表示装置Ａ１が倒れることをより効果的に防止できる。
【００７１】
また係止部材２１を紙製材料で形成する場合は、表示体１の荷重を支えることができるように、紙製材料の硬さが高いものやこしが強いもの、また十分な厚みを有するもの、あるいは紙製材料に表面処理を施して硬さやこしを向上させたものが好適に使用できる。
【００７２】
なお、取付部材２と係止部材２１は、合成樹脂等によって一体成形することもできる。
また、それぞれ別々の材料で製造した場合（例えば係止部材２１を合成樹脂、基板２０を木板等）は、接着剤による接着や粘着剤による粘着によって固定することもできるし、ビスやボルトやナット等からなる固着具で固定することもできる。
【００７３】
基板２０の所要の位置には、所要数（本実施例では複数、二箇所）の孔２０１，２０１が設けてある。地面（設置箇所である接地面）に、杭やアンカー等といった固定手段である打ち付け部材を打ち付けることができる場合は、この孔２０１，２０１を使用できる。
【００７４】
図示はしていないが、打ち付け部材としては、先部側が逆Ｕ字状に下に向けて曲げられたもの（後述する図９に示す「打ち付け部材５１」と同じか大体同じもの）を好適に使用できる。そして、逆Ｕ字状に曲げられた先端部（図９で符号５１１に相当）も基部側と一緒に地中に打ち込むことができる。これにより、表示体１ｅが多少の衝撃ややや強い風を受けた場合でも、打ち付け部材が回転することを防止できる。
【００７５】
図３に示すように、係止部材２１の両側（本実施例では長さ方向の両端側）には、本質的に垂直に起立した状態で側壁部２２，２３がそれぞれ設けてある。側壁部２２，２３の外側（外側面）の上部寄りには、幅方向に向かって突条に延びた係止突条部２２１，２３１が外側面から外方に突出した状態で設けてある。
【００７６】
図１に示すように、取付部材２の係止部材２１に表示体１を取り付けた状態では、この係止突条部２２１，２３１（図１で係止突条部２３１は隠れて表れず）が表示体１の下部側の差込孔１１１，１１２に内方からそれぞれ差し込まれる。そして、係止突条部２２１，２３１が表示体１の表側部１１及び裏側部１２をそれぞれ内方から開いた状態で係止することにより、表示体１の底部側の開口部１０を開いた状態で維持する。これにより、表示体１の底部側は少なくとも筒状または管状に組み立てられ、側面視で基部側（底部側）から上部側に向けて先細になるテーパ状に形成される。
【００７７】
係止部材２１の長さ方向の中間部分には、係合解除防止要素である係合解除防止体３（図３で二点鎖線で示す）を差し込んで受けることができる受部２４が設けてある。受部２４は、向かい合わせに起立した状態で配置された壁部２４１，２４２を有する。本実施例では、係合解除防止体３は変形性を有するシート状、薄板状または平板状の部材で構成されている。係合解除防止体３は、表示体１の基部側開口１０が開くことを抑制して、係止突条部２２１，２３１に対する差込孔１１１，１１２の係合が解除されることを防止する。この詳しい作用の説明については後述する。
【００７８】
係合解除防止体３は、例えば紙製や合成樹脂製のシート状部材を使用して形成することができ、図３に示すように、シート状部材を幅方向に二枚に折り畳んだものが好適に使用できる。係合解除防止体３の長手方向の長さは、畳んだ状態の表示体１（図２参照）の開口部側内方の幅方向の長さより少し短い。
【００７９】
そして、上記した受部２４の壁部２４１，２４２間の隙間２４３に係合解除防止体３をややきつく押し込んだ状態で取り付けれる。これにより、やや力を入れて引き抜かないと受部２４から外れないようになっており、表示体１が多少の衝撃ややや強い風を受けたとしても、係合解除防止体３は受部２４から簡単に外れないようになっている。
【００８０】
図３及び図４に示すように、係合解除防止体３は、基部側開口１０を開いて立体的に組み立てた表示体１の幅方向の両端縁である連結部１３１，１３２を内方から支持する。図３に示すように、係合解除防止体３の長さ方向の上端縁両側（折曲部３３と反対側である開き部側の両側）は、端側が下方傾斜して全体を山形にする傾斜部３１，３２を有する。
この傾斜部３１，３２により、表示体１を係合解除防止体３の上方から嵌め入れやすくしている。
【００８１】
なお、図３に示すように、本実施例では係合解除防止体３は折曲部３３側を下に向けて差し込んでいるが、反対に折曲部３３側を上に向けて差し込んで使用しても良い。ただし、本実施例のように、折曲部３３側を下に向けて使用した場合は、上部側が二枚に開くように作用するので、係合解除防止体３が内方から壁部２４１，２４２の内面とやや強く当接する。これにより、一旦差し込んだ係合解除防止体３が受部２４から簡単に外れてしまうことを防止できる。
【００８２】
また本実施例では、係合解除防止体３を受部２４から取り外し可能（着脱自在）としているが、両者を固定して形成することもできるし、両者を一体的に形成または成形することもできる。ただし、本実施例のように、係合解除防止体３を受部２４から着脱可能とすれば、不使用時に係合解除防止体３を取り外すことで、取付部材２の上部側の出っ張りが少なくなるので、取付部材２を上下重ねて保管しやすい。
【００８３】
更に、取付部材２の基板２０から係止部材２１を取り外すことができるように構成すれば、部品毎に（基板２０は基板２０同士重ねた状態で）保管ができるようになり、保管時のスペースも最小限で済む。
【００８４】
また更に、本実施例では一枚の係合解除防止体３を幅方向に二枚に折り曲げた状態で使用しているが、これとは相違して、単に幅の狭い一枚の係合解除防止体３を折り曲げないでそのまま使用することもできる。
【００８５】
（作  用）
表示装置Ａ１の組み立て手順を説明しながら、表示装置Ａ１の作用を説明する。
図３に示すように、表示装置Ａ１の不使用時などでは、表示体１と取付部材２を別々に分離できる。また分離後は、図２に示すように、表示体１をシート状、薄板状または平面状に畳むことができるので、コンパクトに運搬、保管ができる。図３に示す取付部材２では、受部２４から係合解除防止体３を外せば、取付部材２を複数重ねた状態で保管する際に便利である。
【００８６】
表示装置Ａ１の組み立ては、例えば以下のようにして行う。
まず、図２のように畳んだ表示体１の例えば幅方向の両側縁部分を両側から手で押して基部側開口１０を開き、図３に示すように、少なくとも底部側を筒状または管状になるよう表示体１を立体的に組み立てる。
【００８７】
一方、取付部材２の受部２４から係合解除防止体３を取り外していた場合は、係合解除防止体３を受部２４に取り付ける。表示体１の基部側開口１０を拡げたまま、底部側を係合解除防止体３に上方から嵌め込み、係止部材２１の係止突条部２２１，２３１に表側部１１及び裏側部１２の差込孔１１１，１１２を嵌め込む。上記したように、係合解除防止体３は変形性を有しているので、係合解除防止体３を平面視で山形（略「く」の字状）に曲げれば、表示体１の基部側開口１０を係合解除防止体３に嵌め込みやすい。
【００８８】
更に、上記したように、表示体１は基のシート状、薄板状または平面状の形状に復帰しようとする力（作用）によって、図３のように開いた基部側開口１０を閉じようとする自己閉鎖性を有している。したがって、図４に示すように、表示体１を嵌め込んだ状態では、表示体１の底部側内方部分で係止部材２１を外方から締め付けたような状態となる。
【００８９】
詳しくは、図４に示すように、表示体１が基部側開口１０を閉じようとする力に対し、取付部材２の係止突条部２２１，２３１が表示体１の表側部１１及び裏側部１２に内方から当接し、基部側開口１０を開いた状態に保持する。このような構造により、表示体１は底部側が筒状または管状に組み立てられた状態で起立状態を保持する。
【００９０】
更に、表示体１が取り付けられた状態では、係合解除防止体３が表示体１の底側の内部（基部側開口１０から内側である奥側の内部）に位置し、内方から表示体１の両端縁側の連結部１３１，１３２に当接している。これにより、係合解除防止体３を変形させる外力を加えない限り、図４に示す表示体１の連結部１３１と連結部１３２との幅方向の間隔（距離）は縮まらず、それに伴って、表側部１１と裏側部１２の間隔（距離）が拡がることが防止されている。
【００９１】
その結果、表示装置Ａ１の使用には、取付部材２に取り付けた表示体１の基部側開口１０が開くことを抑制され、係止突条部２２１，２３１に対する差込孔１１１，１１２の係合が解除されることが防止される。したがって、多少の衝撃ややや強い風を受けた場合でも、表示体１が取付部材２から簡単に外れてしまうことを防止できる。
【００９２】
次に、取付部材２から表示体１を外す際は、例えば以下のようにして行う。
まず、表示体１に係合解除防止体３を変形させる外力を加える。即ち、表示体１の幅方向の両側（連結部１３１，１３２部分）を側方から内方へ押えつけて（連結部１３１，１３２の距離を近づけて）、変形性を有する係合解除防止体３を平面視（図４参照）で山形（略「く」の字状）に曲げる。
【００９３】
これにより、表示体１の連結部１３１と連結部１３２との間隔（距離）が狭まると共に、表側部１１と裏側部１２との間隔（距離）が拡がって、表示体１の厚み方向の基部側開口１０が拡がる。その結果、係止突条部２２１，２３１から差込孔１１１，１１２が外れ、係止突条部２２１，２３１に対する差込孔１１１，１１２の係合が解除される。その後は、基部側開口１０を開いたまま、表示体１を取付部材２から引き抜けば良い。
【実施例２】
【００９４】
図５は、本発明に係る表示装置の第２の実施例を示す斜視説明図である。
なお、実施例１と同一または同等箇所には同一の符号を付して示している。また、実施例１で説明した箇所については、説明を省略し、主に相異点を説明する。
【００９５】
本実施例に係る表示装置Ａ２では、実施例１（図１参照）と相違して、表示体１ａの先端部（図５で上端部）は閉じておらず、開口した上部側開口部１０ａを構成している。そして、表側部１１と裏側部１２の先部側（図５で上部側）に、底部側と同じか大体同じ形状の差込孔１１３ａ，１１４ａ（図５で背面側の差込部１１４ａは隠れて表れず）が向かい合わせに配置されている。差込孔１１３ａ，１１４ａは、スリット状（長孔状）の孔で構成された係合要素を構成する。
【００９６】
この上部側開口部１０ａには、実施例１（図３参照）で説明した取付部材２の係止部材２１と同じか大体同じ形をした係止部材２１ａが取り付けられる。即ち、係止部材２１ａの係止突条部２２１，２３１（図５では背面側の係止突条部２３１は隠れて表れず）が内方から差込孔１１３ａ，１１４ａに差し込まれている。これにより、表示体１ａの基部側開口１０と共に上部側開口部１０ａも開いた状態で保持され、表示体１ａは全体が筒状または管状に組み立てられた状態で維持（支持）される。
【００９７】
なお、図５には図示していないが、実施例１（図３参照）と同様に、係止部材２１ａの受部２４に係合解除防止体３を取り付けることもできる。この場合は、基部側開口１０側と同様に、係合解除防止体３によって上部側開口部１０ａが開くことを抑制され、係止突条部２２１，２３１に対する差込孔１１３ａ，１１４ａの係合が解除されることを防止する。これにより、多少の衝撃ややや強い風を受けた場合でも、表示体１から係止部材２１ａが簡単に外れてしまうことを防止できる。
【００９８】
表示体１ａの上部側開口部１０ａ側から係止部材２１ａを取り外す際は、実施例１と同じか大体同じようにして行う。即ち、表示体１ａの上部側に係合解除防止体３を変形させる外力を加えて、係合解除防止体３を平面視で山形（略「く」の字状）に曲げ、係止突条部２２１，２３１に対する差込孔１１３ａ，１１４ａの係合を解除すれば良い。
【００９９】
なお、本実施例では、係止突起２１５ａ，２１５ｂを取付部材２側に設け、係合孔１１５ａ，１１５ｂを表示体１ｂ側に設けた構成としているが、それとは逆に、係止突起を表示体１ｂに所要の間隔をおいて並設し、係止突起に係合する係合孔を取付部材２に所要の間隔をおいて並設して設ける構成とすることもできる。
【０１００】
その他の構成及び作用は、実施例１に示したものと同じか大体同じであるため、説明を省略する。
【実施例３】
【０１０１】
図６及び図７は、本発明に係る表示装置の第３の実施例を示す説明図である。
図６は、本実施例に係る表示装置Ａ３の斜視説明図、
図７は、図６に示す表示装置Ａ３の分解斜視説明図である。
なお、実施例２と同一または同等箇所には同一の符号を付して示している。また、実施例１で説明した箇所については、説明を省略し、主に相異点を説明する。
【０１０２】
本実施例に係る表示装置Ａ３では、実施例２（図５参照）と相違して、表側部１１ｂ及び裏側部１２ｂの幅方向の中央または中央付近に長さ方向（高さ方向）に向かって折曲部１４，１５が向かい合わせに配置して設けてある。この折曲部１４，１５により、平面視ひし形状の表示体１ｃを立体的に組み立てることができる。
【０１０３】
また、表示体１ｃを平面視ひし形状に保持するために、図６に示す取付部材２ｃの係止部材２１ｃの形状が実施例１及び実施例２（図３参照）と異なっている。即ち、係止部材２１ｃ及び係止突条部２２１ｃ，２３１ｃ（図７で背面側の係止突条部２３１ｃは隠れて表れず）を有する側壁部２２ｃ，２３ｃが互いに外側に向けて平面視で山形（略「く」の字状）に曲げられて形成されている。表示体１の先部側の筒状の係止部材２１ｄについても同様である。
その他の作用及び効果は、実施例１及び実施例２と同じか大体同じであるため、説明を省略する。
【実施例４】
【０１０４】
図８は、本発明に係る表示装置の第４の実施例を示す説明図であり、表示装置Ａ４を構成する取付部材２ｄを実線で、表示体１を二点鎖線（想像線）で示している。
なお、実施例１と同一または同等箇所には同一の符号を付して示している。また、実施例１で説明した箇所については、説明を省略し、主に相異点を説明する。これについては、後述する実施例５についても同じである。
【０１０５】
本実施例に係る表示装置Ａ４では、実施例１（図３参照）と相違して、取付部材２ｄに重り体として（重りのための）水等の液体や砂等の流動性固体を充填することができる。即ち、取付部材２ｄは、表示体１の転倒を防止するために、内部に水等の液体や砂等の流動性固体を充填することができる空所である中空部を有している。詳しくは、板状の基体２０ｄ及び係止部材２１ｄは内部が中空となっており、水等の液体や砂等の流動性固体を入れるための蓋２０６，２０７付きの開口部２０３，２０４をそれぞれ備えている。この取付部材２ｄの重さで表示装置Ａ４の土台部分が安定するので、多少の衝撃ややや強い風を受けた場合に表示装置Ａ４が倒れることをより効果的に防止できる。
【０１０６】
更に詳しく説明すると、係止部材２１ｄは略円柱状に形成されている。係止部材２１ｄの厚み方向の側壁部分の底部寄りには係止突条部２２１ｄ，２３１ｄ（背面側の係止突条部２３１ｄは隠れて表れず）が幅方向に向けて設けてある。
【０１０７】
係止部材２１ｄの長さ方向の両側には、その底部側寄りに係合解除防止要素である翼のような形をした係合解除防止体３ｄ，３ｄが設けてある。係合解除防止体３ｄ，３ｄは、実施例１と同様に、内方から表示体１の両端縁側の連結部１３１，１３２に当接して表示体１の基部側開口１０が開くことを抑制する。係合解除防止体３ｄ，３ｄの作用については、実施例１と同じか大体同じであるので、省略する。またその他の作用及び効果も、実
施例１と大体において同じであるため、説明を省略する。
【実施例５】
【０１０８】
図９は、本発明に係る表示装置の第５の実施例を示す説明図であり、図示の便宜上、表示体１ｅを二点鎖線（想像線）で示している。
本実施例に係る表示装置Ａ５では、実施例１（図３参照）と相違して、取付部材２ｅの構造が異なっている。取付部材２ｅは、表示体１を着脱自在に取り付けでき、取り付けた表示体１を立体的に組み立てた状態で維持できる取付体を構成する。
【０１０９】
取付部材２ｅは、直方体状の係止部材２１ｅと、係止部材２１ｅの底部側にネジやビス等の締付固定具４１，４２でネジ止めされた細長い板状の基体である基板２０ｅを有している。係止部材２１ｅは、表示体１ｅの基部側開口１０の内側で表示体１ｅと当接する当接要素を構成する。係止部材２１ｅは、例えば木製、紙製、合成樹脂製、あるいは金属製の材料で形成することができる。  
【０１１０】
基板２０ｅは例えば金属製や合成樹脂製で薄板状に形成されており、係止部材２１ｅから外方向へ突出して取付けられている。基板２０ｅの両端側には、孔２０５，２０５が所要数（本実施例では複数、二箇所）設けてある。この孔２０５，２０５を通して、杭やアンカー等といった打ち付け部材５１を地面に着脱可能に打ち付ける。これにより、表示装置Ａ５を地面に固定できる。
【０１１１】
更に、立体的に組み立てられた表示体１ｅと係止部材２１ｅは、ネジやビス等の締付固定具４３で着脱可能に固定される。本実施例では、締付固定具４３は所要数（複数、表示体１ｅの表側部１１側に二箇所、裏側部１２側に二箇所の合計四箇所）取り付けてある。
この締付固定具４３は、表示体１ｅに対する係止部材２１ｅの当接状態が解除されることを防止する当接解除防止要素を構成する。
【０１１２】
また上記したように、表示体１ｅは基部側開口１０を閉じようとする自己閉鎖性を有している。このため、表示体１ｅには自己閉鎖性によって基部側開口１０が閉じる方向に力が作用するので、表示体１ｅ（表側部１１及び裏側部１２の内面）は取付部材２ｅの係止部材２１ｅとやや強く当接する。更に、締付固定具４３によって、この当接状態が解除されることが防止される。したがって、多少の衝撃ややや強い風を受けた場合でも、表示体１ｅが取付部材２から簡単に外れてしまうことを防止できる。
【０１１３】
なお、水などを充填できる係止部材２１ｄを、基体２０ｄから着脱可能に形成することもできる。着脱構造としては、例えば基体２０ｄに係止部材２１ｄを取り付けるための取付孔（図示省略）を設け、その取付孔に係止部材２１ｄをややきつく押し込んで取り付ける構造等が適宜採用できる。このように係止部材２１ｄを取り外し可能に形成すれば、基体２０ｄを接地面に仮に固定していたとしても、係止部材２１ｄだけを水道の蛇口まで運んで気軽に水を補充することができる。
その他の作用及び効果は、実施例１と大体において同じであるため、説明を省略する。
【実施例６】
【０１１４】
図１０及び図１１は、本発明に係る表示装置の第６の実施例を示す説明図である。
図１０は、本実施例に係る表示装置Ａ６を地面に固定した状態を示す正面視説明図、
図１１(ａ)は図１０に示す表示装置Ａ６の側面視説明図であり、図１１(ｂ)は表示体１ｅと取付部材２ｆの取り付け部分を示す拡大断面説明図である。
【０１１５】
なお、実施例５（図９参照）と同一または同等箇所には同一の符号を付して示している。また、実施例１で説明した箇所については、説明を省略し、主に相異点を説明する。
【０１１６】
本実施例に係る表示装置Ａ６では、実施例５（図９参照）と相違して、取付部材２ｆの構造が異なっている。詳しくは、取付部材２ｆは、実施例５で使用した係止部材２１ｅ（図９参照）に相当するものは有しておらず、杭やアンカー等といった地面に打ち付けて表示体１ｅを固定できる打ち付け部材２５，２６を所要数（本実施例では複数、二本）有している。
【０１１７】
打ち付け部材２５，２６は先部側が逆Ｕ字状に下に向けて曲げられている。そして、図１０に示すように、逆Ｕ字状に曲げられた先端部２５１も基部側と一緒に地中に打ち込むことができる。これにより、表示体１ｅが多少の衝撃ややや強い風を受けた場合でも、打ち付け部材２５，２６が回転することを防止できる。
【０１１８】
図１１に示すように、各打ち付け部材２５，２６の上部側には、側面視Ｌ形状の板体である受部６２（図１１(ｂ)参照）が溶接等によってそれぞれ固定されている。この各受部６２で表示体１の表側部１１または裏側部１２をそれぞれ内方から受ける。各受部６２には、ネジやビス等の締付固定具６３，６３によって木製や合成樹脂製の板状の固定具止め体６４がそれぞれ固定されている。固定具止め体６４は、基部側開口１０の内側から表示体１ｅと当接する当接要素を構成する。
【０１１９】
表示装置Ａ６を地面に設置する手順としては、まず、打ち付け部材２５，２６を二本使用し、これを所要間隔を置いて地面に打ち付ける。その際、固定具止め体６４がそれぞれ外側に向くようにして打ち付け部材２５，２６を打ち付ける。
【０１２０】
そして、基部側開口１０を開いて立体的に組み立てた表示体１を、打ち付け部材２５，２６に固定する。即ち、表示体１ｅの基部側開口１０を拡げたまま、表示体１ｅの表側部１１と裏側部１２の底部側内面がそれぞれ固定具止め体６４に外方から当接するように、表示体１ｅを打ち付け部材２５，２６の上方から嵌め込む。このとき、表示体１ｅの下端部を側面視Ｌ形状の受部２４に載せるようにする。そして、表示体１ｅの表側部１１と裏側部１２をネジやビス等の締付固定具６１で固定具止め体６４にそれぞれ締め付け固定する。この締付固定具６１は、表示体１ｅに対する固定具止め体６４の当接状態が解除されることを防止する当接解除防止要素を構成する。符号６０は、締付固定具６１を表示体１ｅに強く締め付けた際に、締付固定具６１で表示体１ｅの表面が傷むことを防止する平板状のワッシャーを示している。
【０１２１】
また上記したように、表示体１ｅは基部側開口１０を閉じようとする自己閉鎖性を有している。このため、表示体１ｅには自己閉鎖性によって基部側開口１０が閉じる方向に力が作用するので、表示体１ｅ（表側部１１及び裏側部１２の内面）は固定具止め体６４とやや強く当接する。このような固定手段によって、多少の衝撃ややや強い風を受けた場合でも、表示体１ｅが取付部材２ｆから簡単に外れてしまうことを防止できる。
その他の作用及び効果は、実施例１と大体において同じであるため、説明を省略する。
【実施例７】
【０１２２】
図１２は、本発明に係る表示装置の第７の実施例を示す説明図である。
なお、実施例１と同一または同等箇所には同一の符号を付して示している。また、実施例１で説明した箇所については、説明を省略し、主に相異点を説明する。これについては、後述する実施例８についても同じである。
【０１２３】
本実施例に係る表示装置Ａ７では、表示体１ｆの所要の位置に表示手段である立て札７１，７２を差し込むことができる。符号７１１，７２１は、立て札７１，７２の差込部をそれぞれ示してる。即ち、本実施例では、表示体１ｆの上端側と側縁部側に立て札７１，７２を差し込むことができる切欠部１６，１７，１８が設けてある。切欠部１６，１７，１８は、立て札７１，７２の取り付けが可能な取付要素を構成する。立て札７１，７２の形状は特に限定せず、図１２に示すように、例えば団扇状の立て札７１や正面視略Ｌ形状の立て札７２等を好適に使用できる。
【０１２４】
本実施例に係る表示装置Ａ７では、表示体１ｆが取付部材２によって安定して取り付けてあるので、風の抵抗を受けやすい立て札７１，７２も比較的支障なく表示体１ｆに取り付けることができる。
【実施例８】
【０１２５】
図１３は、本発明に係る表示装置の第８の実施例を示す説明図である。
本実施例に係る表示装置Ａ８では、表示体１ｈの上方側に書類Ｐを差し込んで収容できる袋状の収容部１９が設けてある。収容部１９は、書類Ｐを出し入れ可能に収容できる収容要素を構成する。
【０１２６】
詳しくは、収容部１９は、表示体１ｈを構成する表側部１１と裏側部１２の間に挟まれるようにして接着剤等で表示体１ｈの上部側に固定されている。収容部１９は書類Ｐが取り出しやすいように、書類Ｐ（例えば店のチラシや商品のカタログ等）の上端部が表側部１１及び裏側部１２の先端部から突出するような深さを有している。
【０１２７】
収容部１９の書類取り出し側には、書類Ｐが雨や埃などで汚れないようにするためのカバー８を設けることもできる。カバー８は、例えば長方形で透明または半透明の合成樹脂製のシートまたはフィルムを幅方向に二枚に折り曲げたもので好適に形成できる。
【０１２８】
即ち、折り曲げたシートまたはフィルムの幅方向の一端側を表側部１１または裏側部１２のいずれか一方に接着剤等によって固定し、他端側を折曲部８０で上下にめくって開くように形成している。書類Ｐの取り出し側には、書類Ｐを左右に分けて入れることができるように仕切部８１を設けることもできる。また、書類Ｐの取り出し側に「この中に資料・パンフレットがございます。」、「ご自由にお取り下さい」、「ご自由にお持ち帰り下さい」等といった表示を施すこともできる。
【０１２９】
このように、客の注目を引く表示装置Ａ８に店のチラシや商品のカタログを入れておけば、チラシやカタログを手にする客の数を増やして店の売り上げ向上を図ることできる。
【実施例９】
【０１３０】
図１４ないし図１７は、本発明に係る表示装置の第９の実施例を示す説明図である。
なお、実施例５（図９参照）と同一または同等箇所には同一の符号を付して示している。更に実施例５で説明した箇所については、説明を省略し、主に相異点を説明する。
【０１３１】
図１４及び図１５は、表示装置Ａ９を構成する表示体１ｂと取付部材２ｂの係合状態を説明する部分拡大斜視説明図である。
図１４は表示体１ｂを取付部材２ｂに取り付ける前の状態を示し、図１５は表示体１ｂを取付部材２ｂに取り付けた後の状態を示している。
なお、図１４では図示の便宜上、表示体１ｂを一点鎖線で表している。
【０１３２】
図１６は、取付部材２ｂを構成する係止部材２１ｂの平面視拡大説明図である。
なお、図１６では、係止部材２１ｂに対する表示体１ｂの係合状態が良く分かるように、表示体１ｂの表側部１１も合わせて図示している。
また図１６では、表側部１１を断面して実線で表すと共に、表側部１１を湾曲させた状態を一点鎖線で表している。
【０１３３】
図１４ないし図１６を参照する。
本実施例に係る表示装置Ａ９では、実施例５（図９参照）と比べ、取付体である取付部材２ｂの構造が相違している。それに伴って、表示体１ｂと取付部材２ｂの係合方法が異なっている。
【０１３４】
即ち、図１４に示すように、表示体１ｂの表側部１１及び裏側部１２には、円形または円形状の係合孔１１５ａ，１１５ｂ，１２５ａ，１２５ｂがそれぞれ設けてある。取付部材２ｂの所要の位置には、係合突起２１５ａ，２１５ｂ，２１５ａ，２１５ｂが設けてある。この係合突起２１５ａ，２１５ｂ，２１５ａ，２１５ｂに係合孔１１５ａ，１１５ｂ，１２５ａ，１２５ｂを係合させる（差し込む）ことで、表示体１ｂを取付部材２ｂに取り付けることができる。
【０１３５】
以下、取付部材２ｂ及び表示体１ｂについて、順を追って詳しく説明する。
［取付部材２ｂ］
実施例５（図９参照）と同様、取付部材２ｂ（図１４参照）は細長い板状の基体である基板２０ｂを有しているが、基板２０ｅ上に設けてある係止部材２１ｂ，２１ｂの構造が相違している。基板２０ｂ上には、同一形状の係止部材２１ｂが一対設けてある。係止部材２１ｂ，２１ｂは合成樹脂で形成されている。係止部材２１ｂ，２１ｂは、その他の材料、例えば木製、紙製、あるいは金属製の材料で形成することもできる。
【０１３６】
係止部材２１ｂ，２１ｂは基板２０ｂ上で距離を離して設けられ、係合突起２１５ａ，２１５ｂと係合突起２１５ａ，２１５ｂを互いに外方に向けた状態で配置されている。この一対の係止部材２１ｂ，２１ｂ間の距離を変えることによって、係止部材２１ｂ，２１ｂに取り付けた後の表示体１ｂの基部側開口１０の開き具合、つまり、立体的に組み立てた表示体１ｂの膨らみ具合を調整できる。
【０１３７】
各係止部材２１ｂは、係合突起２１５ａ，２１５ｂを備えた側壁部２８を有している。
係合突起２１５ａ，２１５ｂは、側壁部２８の外側（外側面）の上部寄りに設けてある。
係合突起２１５ａ，２１５ｂは、表示体１ｂの係合孔１１５ａ，１１５ｂ，１２５ａ，１２５ｂに対応するように、図１４で側壁部２８の横方向（長さ方向）に所要の間隔をおいて二箇所並設されている。符号２７２は、係止部材２１ｂの強度を向上させるためのリブを示している。
【０１３８】
係止部材２１ｂ，２１ｂの底板２７（図１６参照）には、ネジやビス等の締付固定具用の孔２７１が所要数設けてある。本実施例では、一つの係止部材２１ｂにつき孔２７１が二箇所設けてある。そして、図１４に示すように、底部側からビス２７０等で基板２０ｂに係止部材２１ｂ，２１ｂが固定されている。各係止部材２１ｂの底部側には基板２０ｂを底部側から嵌め込む溝である凹部２７３（図１４参照）が設けてある。この凹部２７３により、基板２０ｂに対する係止部材２１ｂのズレを防止できる。
【０１３９】
［表示体１ｂ］
上記したように、表示体１ｂは、係合突起２１５ａ，２１５ｂを嵌め込む係合要素である係合孔１１５ａ，１１５ｂ，１２５ａ，１２５ｂを有している。係合孔１１５ａ，１１５ｂ，１２５ａ，１２５ｂは、表側部１１及び裏側部１２の幅方向にそれぞれ所要の間隔をおいて二箇所並設されている（表示体１ｂ全体で合計四箇所）。
【０１４０】
係合孔１１５ａ，１１５ｂ，１２５ａ，１２５ｂは、表側部１１及び裏側部１２の底部寄りの中央付近に配置されている。係合孔１１５ａ，１１５ｂ，１２５ａ，１２５ｂの直径は、係合突起２１５ａ，２１５ｂの直径よりも径大となっている（後述の図１７(i)も参照、係合孔１１５ａを破線、係合突起２１５ａを実線で示す）。この係合孔１１５ａ，１１５ｂが径大となっている理由は、係合突起２１５ａ，２１５ｂに対する係合孔１１５ａ，１１５ｂの取り付け、取り外し容易に行えるようにするためである。
【０１４１】
本実施例では、表示体１ｂを厚紙や段ボール等の紙製材料で形成している。そして、紙製材料の強度を補うため、係合孔１１５ａ，１１５ｂ，１２５ａ，１２５ｂが設けてある部分に補強部材として合成樹脂製で平板状の補強板１１６（図１５参照）が固着されている。なお、比較的強度が高い材料（合成樹脂等）で作製した場合では、補強板１１６を省略することもできる。
【０１４２】
補強板１１６はその他の材料、例えば合成樹脂や軽量金属等で形成することもできる。
本実施例では補強板１１６を表側部１１及び裏側部１２の外面側に取り付けているが、内面側やその両方に取り付けても良い。
【０１４３】
並設された係合孔１１５ａ，１１５ｂ，１２５ａ，１２５ｂの中央または中央付近には、紐状体で形成された環状の引張部材１１７，１１７がそれぞれ設けてある。そして、図１６に示すように、引張部材１１７を外方（図１６で下方）に引っ張ることにより、表側部１１（または裏側部１２）の湾曲率を増加させることができる。これにより、取付部材２ｂ（係止部材２１ｂ）から表示体１ｂを簡単に取り外すことができる。この詳しい説明については後述する。
【０１４４】
図１７(ａ)，(i)，(ii)は、係合突起２１５ａ，２１５ｂの構造と、係合突起２１５ａ，２１５ｂに対する表示体１ｂの係合状態を説明するための部分拡大説明図である。
なお、図１７では、表示体１ｂのうち、表側部１１側の係合状態を例に挙げて図示しているが、反対の裏側部１２の係合状態も同じである。また、係合状態が良く分かるように全体をやや誇張して表している。
【０１４５】
図１７(ａ)，(i)，(ii)について詳しく説明する。
図１７(ａ)は、係合突起２１５ａ，２１５ｂに対する表示体１ｂの係合状態を平面方向から見た部分拡大説明図である。
なお、図１７(ａ)では、図１６と同様に、表示体１ｂの表側部１１を断面して実線で表すと共に、表側部１１を湾曲させた状態を一点鎖線で表している。
【０１４６】
図１７(i)(ii)は、係合突起２１５ａ，２１５ｂと係合孔１１５ａ，１１５ｂの位置関係を示す正面視説明図であり、図１７(ａ)において紙面下方向から見たものに対応している。
なお、図１７(i)(ii)では、係合突起２１５ａ，２１５ｂを実線で表し、表側部１１の係合孔１１５ａ，１１５ｂ及び補強板１１６を破線で表している。
【０１４７】
更に図１７(i)は、係合突起２１５ａ，２１５ｂの基部側（凹部２１６）に係合孔１１５ａ，１１５ｂが嵌め込まれているときの状態を示している。
また図１７(ii)は、図１７(ａ)に示す状態から引張部材１１７を引っ張ることにより、表側部１１を湾曲させたとき（図１７(ａ)で一点鎖線に対応）の状態を示している。
【０１４８】
更に図１７(i)(ii)では、係合突起２１５ａ，２１５ｂの基部側（凹部２１６が形成されていることで、先部側に比べてやや径が細くなっている部分）にハッチングを入れ、その位置がよく分かるようにしている。
【０１４９】
以下、図１７を主に参照して、係合突起２１５ａ，２１５ｂの構造と、係合突起２１５ａ，２１５ｂに対する表示体１ｂの係合状態を説明する。
【０１５０】
図１７(ａ)に示すように、表側部１１側において、係合突起２１５ａ，２１５ｂは、係止部材２１ｂの側壁部２８に所要の間隔をおいて二箇所並設されている。これにより、一方の係合突起２１５ａと他方の係合突起２１５ｂの間には、引張部材１１７を引っ張って表側部１１を湾曲させるために十分な所要の空間部Ｓが形成されている。
【０１５１】
各係合突起２１５ａ，２１５ｂの先部側は、正面視（図１７(i)参照）で円形または円形状に形成されている。更に各係合突起２１５ａ，２１５ｂの先端部（図１７(ａ)参照）は、表側部１１の係合孔１１５ａ，１１５ｂを差し込みやすいようにやや丸みをつけて形成されている。
【０１５２】
更に、各係合突起２１５ａ，２１５ｂの基部側には、外れ防止要素（引っ掛かり要素）である凹部２１６がそれぞれ形成されている。凹部２１６は、差し込まれた表示体１ｂの係合孔１１５ａ，１１５ｂが係合突起２１５ａ，２１５ｂから外れることを防止する。
【０１５３】
図１７(ａ)、(i)に示すように、凹部２１６は係合突起２１５ａの周面部分のうち、並設された他方の係合突起２１５ｂ側に向けて形成されている。これにより、一方の係合突起２１５ａと他方の係合突起２１５ｂの各凹部２１６，２１６は、互いに向かい合うような位置に配置されている。
【０１５４】
この凹部２１６により係合突起２１５ａ，２１５ｂの基部側には、先部側よりもやや径が細い径小部２１７（ハッチングを入れている部分）が形成されている。この径小部２１７は、径大な先部側と傾斜部２１８を介して繋がっている。この傾斜部２１８によって、凹部２１６の先部側（図１７(ａ)で下側）はやや緩やかに傾斜している。
【０１５５】
（作  用）
取付部材２ｂに対する表示体１ｂの取り付け方及び取り外し方を説明しながら、表示装置Ａ９についての作用を説明する。なお、以下に示す取り付け、取り外しの手順は一つの例を示しており、特にこの手順に限定するものではない。
【０１５６】
［表示体１ｂの取り付け方］
まず、例えば表側部１１及び裏側部１２のそれぞれ設けてある引張部材１１７，１１７を手で握って両側へ引っ張り、図１４に示すように基部側開口１０を開く。そして、基部側開口１０を開いたまま、表示体１ｂの底部側を取付部材２ｂの係止部材２１ｂ，２１ｂに上方から被せ、基部側開口１０内に係止部材２１ｂ，２１ｂを差し入れる。
【０１５７】
次に、引張部材１１７から手を離せば、表示体１ｂの自己閉鎖性によって基部側開口１０が閉じる方向に力が作用する。よって、後は表側部１１の係合孔１１５ａ，１１５ｂ及び裏側部１２の係合孔１２５ａ，１２５ｂを各係止部材２１ｂの係合突起２１５ａ，２１５ｂに嵌め込むようにすれば、図１５に示すように表示体１ｂの取り付けが完了する。
【０１５８】
以下、表示体１ｂの取り付け時における係合突起２１５ａ，２１５ｂに対する係合孔１１５ａ，１１５ｂの位置関係について、詳しく説明する。
表示体１ｂの取り付けの際には、図１４に示すように、表示体１ｂの基部側開口１０を開いて、表側部１１及び裏側部１２の湾曲率を高める。そして、基部側開口１０を開いたまま、表示体１ｂの底部側を係止部材２１ｂ，２１ｂに上方から被せる。
【０１５９】
次に、引張部材１１７から手を離して、図１７(ａ)に示すように、表示体１ｂの係合孔１１５ａ，１１５ｂ（一点鎖線に対応）を係合突起２１５ａ，２１５ｂに嵌め込むようにする。引張部材１１７から手を離すと、表示体１ｂの自己閉鎖性によって基部側開口１０が閉じる方向に力が作用する。これにより、係合孔１１５ａ，１１５ｂは、係合突起２１５ａ，２１５ｂの先部側から基部側に移動し、表側部１１の内面側で係止部材２１ｂを外方から締め付けたような状態となる。
【０１６０】
しかも、基部側開口１０が閉じる方向に力が作用すると、表側部１１の湾曲率は低下する。これにより、並設する係合孔１１５ａ，１１５ｂには、その距離（間隔）を拡げる方向に力が作用する。したがって、係合孔１１５ａ，１１５ｂは、係合突起２１５ａ，２１５ｂの先部側から傾斜部２１８に沿って外方（係合孔１１５ａ，１１５ｂ同士が離れる方向）に移動し、最後は係合突起２１５ａ，２１５ｂの基部側である凹部２１６に嵌り込む。
【０１６１】
上記したように、表示体１ｂの自己閉鎖性により、並設する係合孔１１５ａ，１１５ｂには、常にその距離が拡がる方向に力が作用している。よって、係合孔１１５ａ，１１５ｂの距離を狭めるような外力を表示体１ｂに加えない限り、係合孔１１５ａ，１１５ｂは凹部２１６から抜け出ることはない。つまり、図１７(ａ)の一点鎖線で示すように、表側部１１を湾曲させないと、表示体１ｂを係止部材２１ｂから取り外すことはできない。
【０１６２】
したがって、単に表示体１ｂの端に人がぶつかったり、表示体１ｂの表面にやや強い風あたった程度では上記したような外力（係合孔１１５ａ，１１５ｂの距離を狭めるような外力）は得られないので、表示体１ｂが取付部材２ｂから簡単に外れることはない。
【０１６３】
［表示体１ｂの取り外し方］
逆に、表示体１ｂを取付部材２ｂから取り外す際は、引張部材１１７を外方（図１６で紙面下方）に引っ張る。そうすると、図１７(ａ)の一点鎖線で示すように、係合孔１１５ａ，１１５ｂが係合突起２１５ａ，２１５ｂの基部側から先部側に移動することによって、表示体１ｂの湾曲率が増加し、係合孔１１５ａ，１１５ｂ間の距離が狭まっていく。
【０１６４】
このときの係合突起２１５ａ，２１５ｂに対する係合孔１１５ａ，１１５ｂの位置関係を図１７(i)(ii)を参照しながら、詳しく説明する。
上記したように、表側部１１が係止部材２１ｂに取り付けてある状態では、並設する係合孔１１５ａ，１１５ｂには常にその距離（間隔）を拡げる方向（図１７(i)で矢印Ｂ方向）に力が作用している。そして、係合孔１１５ａ，１１５ｂは、係合突起２１５ａ，２１５ｂの各凹部２１６に位置している。
【０１６５】
この状態から引張部材１１７を引っ張ると、係合孔１１５ａ，１１５ｂが図１７(ａ)に示す傾斜部２１８，２１８に沿って先部側に移動し、凹部２１６，２１６から外れる。これに伴い、係合孔１１５ａ，１１５ｂの距離（間隔）は、次第に狭まっていく（図１７(ii)で矢印Ｃ方向）。
【０１６６】
そして、表示体１ｂの係合孔１１５ａ，１１５ｂ間の距離が係合突起２１５ａ，２１５ｂ間の距離と本質的に同じ（図１７(ii)で長さＬ１）になれば、図１７(ａ)の一点鎖線で示すように、係合突起２１５ａ，２１５ｂから係合孔１１５ａ，１１５ｂを引き抜いて、表示体１ｂを取り外すことができる。
【０１６７】
つまり、図１７(i)(ii)に示すように、凹部２１６と係合突起２１５ａの先部側（径大な部分）の中央側への差である長さΔＬ２分、係合孔１１５ａを中央側に移動させれば、係合孔１１５ａ引き抜くことができる。なお、裏側部１２側の係合状態についても同じである。
【０１６８】
このように、表示装置Ａ９の不使用時には、引張部材１１７を引っ張る（表側部１１及び裏側部１２の湾曲率を高める）といった簡単な操作で表示体１ｂを取り外すことができる。
【０１６９】
なお、本実施例（図１４参照）では、同じ形状の係止部材２１ｂを二つ使用しているが、二つの係止部材２１ｂ，２１ｂを一つに連結したものを使用することもできる。
【０１７０】
また、係合突起２１５ａ，２１５ｂで円形または円形状に形成しているが、楕円形状、長方形状や正方形状、あるいはその他の多角形に形成することもできる。その際は、係合突起２１５ａ，２１５ｂに係合する係合孔１１５ａ，１１５ｂの形状も、係合突起２１５ａ，２１５ｂの形状に対応させたものにすることが好ましい。
【０１７１】
本実施例では、係合突起２１５ａ，２１５ｂが表示体１ｂの幅方向の中央付近に位置するように構成しているが、両サイドにやや離した位置に配置されるように構成することもできる。
【０１７２】
更に、図１８（図１８は引張部材の他の形態を示す部分拡大斜視図）に示すように、補強板１１６に高さ方向の切れ目１１９を所要の間隔で二本入れ、上部の折曲部１１８から水平方向に折り曲げて立ち上がらせた切欠片によって、引張部材１１７ａを構成することもできる。
【０１７３】
また、単に係合孔１１５ａ，１１５ｂの近傍（例えば係合孔１１５ａ，１１５ｂの間）に孔を形成し、その孔に指を入れて表側部１１を引っ張るようにしても良い。また、専用の鉤形の引出し具を使用し、その引出し具を孔に差し入れて表側部１１を引っ張るようにしても良い。引出し具は例えば先部側が鉤形になっており、基部側が指を入れて引っ張ることができる環状の指入れ部を備えたもの等を適宜採用できる。
【０１７４】
なお、表示装置Ａ９の設置の仕方について述べると、図１４に示すように、表示体１ｂを地面に対して本質的に垂直に起立させて使用できることは言うまでもないが、壁面に取付部材２ｂを横から打ち付ける等して、壁面に対し表示体１ｂの長手方向が水平方向になるように横に向けて使用することもできる。
また壁面だけでなく、天井に取付部材２ｂを下から打ち付ける等すれば、天井から表示体１ｂを垂れ下げた状態で使用することもできる。
この設置の仕方については、本発明の他のすべての実施例に採用できる。
【０１７５】
その他の構成及び作用は、上記した実施例と同じか大体同じであるため、説明を省略する。
【実施例１０】
【０１７６】
図１９は、本発明に係る表示装置の第１０の実施例を示す部分拡大斜視説明図あり、表示体１ｂを一点鎖線で表している。
なお、実施例１(図３参照)及び実施例９（図１４参照）と同一または同等箇所には同一の符号を付して示している。更に実施例１，９で説明した箇所については、説明を省略し、主に相異点を説明する。
【０１７７】
実施例９(図１４参照)では、取付部材２ｂの台座部分として細長い板状の基板２０ｂを使用したが、実施例１（図３参照）と同様に、平板状の基板２０を使用することもできる。この平板状の基板２０を使用すれば、杭等で地面に固定しなくても取付部材２が安定しているので、店内や店頭における広告用看板等として好適に使用できる。
【実施例１１】
【０１７８】
図２０ないし図２７は、本発明に係る表示装置の第１１の実施例を説明するための図である。
【０１７９】
図２０及び図２１は、表示装置Ａ１１を構成する表示体１ｊと取付部材２ｊの係合状態を説明するための部分拡大斜視説明図である。
そのうち、図２０は表示体１ｊを取付部材２ｊに取り付ける前の状態を示し、図２１は取り付けた後の状態を示している。なお、図２１では図２０を拡大して表している。
図２２は、図２１に示す表示装置Ａ１１を底面方向（表示体の基部側開口側）から見た説明図である。
【０１８０】
なお、実施例１（図３参照）と同一または同等箇所には同一の符号を付して示している。また、実施例１で説明した箇所については、説明を省略し、主に相異点を説明する。
【０１８１】
本実施例に係る表示装置Ａ１１は、全体が紙製材料で形成されている。これにより、軽量化が図られている。更に、実施例１（図３参照）と相違して、表示体１ｊだけではなく、表示体１ｊを取り付ける取付体である取付部材２ｊもシート状、薄板状または平面状に畳むことができる。
【０１８２】
そして、実施例１（図３参照）とは、この取付部材２ｊの構造と、表示体１ｊの穴で構成された差込孔１５が主に相違しており、それに伴って、表示体１ｊと取付部材２ｊの係合状態が異なっている。差込孔１５は、係合要素である係合孔を構成する。
【０１８３】
即ち、図２０に示すように、表示体１ｊの表側部１１及び裏側部１２の所要の位置には、三角形状または正三角形状の差込孔１５がそれぞれ設けてある。取付部材２ｊは、係止要素である係止突部５２，５２を備えている。この各係止突部５２に表示体１ｊの差込孔１５が係合する（嵌め込まれる）ことで、表示体１ｊを取付部材２ｊに取り付けることができる。
【０１８４】
図２３は、図２０に示す取付部材２ｊの斜視説明図、
図２４は、図２３に示す取付部材２ｊを幅方向に折り畳んだ状態を示す平面視説明図、
図２５は、図２３に示す取付部材２ｊを構成する基板５３を示す平面視説明図、
図２６は、図２５に示す基板５３と共に、取付部材２ｊを構成する構成シート５４０を展開した状態で示した平面視説明図である。
以下、取付部材２ｊについて詳しく説明する。
【０１８５】
［取付部材２ｂ］
図２３に示す取付部材２ｊは、図２５に示す基板５３に、図２６に展開状態で示す構成シート５４０を山形に曲げた状態で固定することで形成されている。この固定には、接着剤、粘着剤、またはステープル等を使用することができる。
【０１８６】
図２５に示す基板５３は、厚紙や段ボール等のやや厚めの紙製材料で形成されており、土台部分の安定性を向上させている。一方、図２６に示す係止部材５４を構成する構成シート５４０は、ややこしが強い薄目の紙製シートで形成されており、軽量化が図られている。
【０１８７】
図２３に示すように、取付部材２ｊは、表示体１ｊを取り付ける状態では、係止部材５４が山形状に立体的に形成されている。そして、取付部材２ｊは、後述する構成により、図２４に示すように幅方向のほぼ中間の位置で平板状に折り畳んでほぼ半分の大きさにすることができる。
【０１８８】
また図２０に示す表示体１ｊは、実施例１と同様に、表側部１１と裏側部１２とを合わせた状態で、シート状、薄板状または平面状に畳むことができる。したがって、不使用時には、表示体１ｊ及び取付部材２ｊをそれぞれ別々に折り畳むことにより、表示装置Ａ１１全体をコンパクトな形状にすることができる。
【０１８９】
以下、取付部材２ｊを構成する基板５３と構成シート５４０について、各構成部品ごとに説明する。
（図２５に示す基板５３）
基板５３は平面視で外形が方形状であり、略中央部分に開口部５３１を備えている。この開口部５３１の上を跨ぐようにして図２６に示す構成シート５４０で構成される上記係止部材５４が取り付けられる。
【０１９０】
開口部５３１は、図２０及び図２１に示すように、取付部材２ｊに表示体１ｊを取り付けた際に、開口部５３１が表示体１ｊの内側に隠れて、表示装置Ａ１１の外側から見えないような大きさで形成されていることが、製品としての見た目が良いので好ましい。この開口部５３１設けることで、基板５３を作る材料のコスト削減を図ると共に、取付部材２ｊから表示体１ｊの取り外しがしやすくなる。この取り外しやすさの作用については、後述する。
【０１９１】
なお、本実施例では、表示体１ｊの基部側を筒状に組み立てた後の表側部１１及び裏側部１２の湾曲形状に合わせて、開口部５３１の長手方向の両縁部５３２，５３２をやや外側に膨らませたような山形に形成している。ただし、開口部５３１の形状は、図示したものに限定されず、円形状や楕円形状、長方形状や正方形状、あるいはその他の多角形や異形状（不規則な形状）でも良い。
【０１９２】
更に基板５３には、折り畳めるように、基板５３の幅方向のほぼ中間の位置に、折り畳み用の折目５３３（本実施例では、山折りの折目）がそれぞれ設けてある。折目５３３は、開口部５３１を両側から挟むような位置にぞれぞれ（合計で二箇所）設けてある。
【０１９３】
（係止部材５４）
一方、基板５３に固定される係止部材５４は、図２６に示すように展開状態ではシート状、薄板状または平面状である一枚の構成シート５４０で形成されている。図２３に示すように、この構成シート５４０を山形に曲げた状態で、接着剤等により図２５に示す基板５３に固定する。これにより、図２３に示す取付部材２ｊの全体形状が構成される。なお、構成シート５４０を複数枚のシートを連設して構成しても良い。
【０１９４】
図２６を参照すると、構成シート５４０は、長手方向のほぼ中間位置に折り畳み用の折目５４１（本実施例では山折りの折目）を備えている。この折目５４１は、構成シート５４０の幅方向に沿って形成されている。構成シート５４０はこの折目５４１を境にして左右対称（図２６では上下対称）に形成されている。
【０１９５】
構成シート５４０の長手方向の両端側には、折目５４２（本実施例では谷折りの折目）を介して糊代部である糊代片５４３がそれぞれ設けてある。糊代片５４３の長手方向両側は斜めにカットして形成されている。図２３に示すように、この糊代片５４３を基板５３の開口部５３１の幅方向の両側に固定することで、側面視山形状の係止部材５４を構成する。
【０１９６】
更に図２６に示す構成シート５４０の幅方向の両端側には、上記した取付部材２ｊの係止突部５２，５２（図２３参照）を構成するための突部形成片５２０がそれぞれ設けてある。各突部形成片５２０は、構成シート５４０の長手方向のほぼ中間位置に設けてあり、幅方向の両側に向かい合うようにして対で設けてある。突部形成片５２０は、全体が先部側（構成シート５４０の外方）に向かってすぼまるような山形状に形成されている。突部形成片５２０の長手方向の両端側の各縁部５２１ａ，５２１ｂは、所要角度で二段階に傾斜して形成されている（基部側の縁部を符号５２１ａで示す）。
【０１９７】
図２７は、図２６で左側に位置する突部形成片５２０の一部（図２６で下側部分）を拡大して表した部分平面視説明図である。
そのうち、図２７(ａ)は折目５２３ａ，５２３ｂで連設された折返し片５２２を折り返していない状態の図、図２７(ｂ)は折返し片５２２を内側に折り返した状態の図を表している。
【０１９８】
図２６に示すように、突部形成片５２０の長手方向の両側には、折目５２３ａ，５２３ｂ（本実施例では、山折りの折目）を介して内側に折返し可能に連設された折返し片５２２がそれぞれ設けてある。折目５２３ａ，５２３ｂは、縁部５２１と所要の間隔をおいてほぼ並行に（縁部５２１の傾斜方向とほぼ同じ方向に傾斜して）形成されている。折目５２３ａ，５２３ｂは、図２７(ａ)に示すように、Ｌ形状の切込部５２４を挟むような位置に断続的に設けてある。切込部５２４は、Ｌ形状の角部５２４ａが内方に向き、両端部（符号省略）が折目５２３ａ，５２３ｂと連続するような配置で形成されている。
【０１９９】
更に内方側の折目５２３ａの一端部（図２７(ａ)で右端部）は、構成シート５４０の長手方向の縁部５４５と同一か本質的に同一方向に形成された切目５２５と連設している。そうして、図２７(ａ)に示す折返し片５２２を、折目５２３ａ，５２３ｂで内側（構成シート５４０の裏側）に折り返すことで、図２７(ｂ)に示すように、Ｌ形状の切込部５２４側から掛止部５２６（図２３も参照）が折目５２３ａ，５２３ｂから突出した状態で現れる。
【０２００】
掛止部５２６は突状で略三角形状であり、上記した折返し片５２２の一部で構成される。掛止部５２６は、係合解除防止要素を構成する。図２３に示す状態では、この掛止部５２６は、係止突部５２の両側から外へ突出した状態で設けられる。
【０２０１】
図２８(ａ)ないし(ｃ)は、表示体１ｊに設けてある差込孔の他の実施例を示す部分拡大正面視説明図である。
図２０で示す表示体１ｊでは、上記したように、差込孔１５が三角形状または正三角形状に形成されている。この差込孔１５を例えば図２８の(ａ)ないし(ｃ)に示すような構造によって形成することもできる。
【０２０２】
図２８(ａ)ないし(ｃ)に示す各差込孔１５ａ，１５ｂ，１５ｃの少なくとも一辺部側（図２８で下辺部側、表示体１ｊの基部側開口１０側）には、折返し片１５０ａ，１５０ｂ，１５０ｃ（補強片）がそれぞれ設けてある。この折返し片１５０ａ，１５０ｂ，１５０ｃが、図２３に示す係止突部５２の掛止部５２６，５２６に当接し、各差込孔１５ａ，１５ｂ，１５ｃの縁部を補強している。
【０２０３】
即ち、この補強によって、表示体１ｊを比較的薄い材料で形成した場合や、表示体１ｊを繰り返し使用した場合でも、各折返し片１５０ａ，１５０ｂ，１５０ｃが係止突部５２の掛止部５２６，５２６に当たることによって、各差込孔１５ａ，１５ｂ，１５ｃの一部が破れたりすることを防止している。
【０２０４】
以下、各差込孔１５ａ，１５ｂ，１５ｃの形状を順に説明する。
図２８(ａ)では、中心から三方向に拡がるように延びて形成された切断線１５１，１５１，１５１によって、三つの折返し片１５０ａが構成される。また、この切断線１５１の外端部を三角形状または正三角形状に囲むように、谷折りの折目１５２が形成されている。この折目１５２の部分で、三角形状または正三角形状の差込孔１５ａを形成できる。そうして、当該部分を取付部材２ｊの係止突部５２（図２３参照）に嵌め込めば、係止突部５２によって折返し片１５０ａ，１５０ａ，１５０ａが各折目１５２部分から外側へ折り返され、それによって差込孔１５ａが開いて取り付けが完了する。
【０２０５】
図２８(ｂ)では、三角形状または正三角形状の一辺部（図２８で下辺部側）が谷折りの折目１５２ｂとなっており、この折目１５２ｂと、残る二つの対辺（図８で上側）に形成された山形状の切断線１５１ｂによって、一つの折返し片１５０ｂが形成されている。そうして、当該部分を取付部材２ｊの係止突部５２（図２３参照）に嵌め込めば、係止突部５２によって折返し片１５０ｂが折目１５２ｂ部分から外側へ折り返され、取り付けが完了する。
【０２０６】
図２８(ｃ)では、三角形状または正三角形状の差込孔１５ｃが予め開口状態で形成されている。またこの差込孔１５ｃの縁部である二つの対辺の延長線上に（表示体１ｊの基部側開口１０側に向かって）所要の長さの切断線１５３ａ，１５３ｂがそれぞれ形成されている。この切断線の一方１５３ａと切断線の他方１５３ｂ間に設けてある谷折りの折目１５４によって、折返し片１５０ｃ（本実施例では台形状）が形成されている。そうして、当該部分を取付部材２ｊの係止突部５２（図２３参照）に嵌め込めば、係止突部５２によって折返し片１５０ｃが折目１５４部分から外側へ折り返され、取り付けが完了する。
【０２０７】
（作  用）
表示装置Ａ１１の組み立て手順を説明しながら、表示装置Ａ１１の作用を説明する。なお、実施例１（図３参照）で説明した作用と主に相異する点について説明する。
【０２０８】
図２０に示す取付部材２ｊは、表示体１ｊと分離した後、ほぼ中央の折目５４１と折目５３３で二つに折り畳むことにより、図２４に示すように、シート状、薄板状または平面状に畳むことができる。これにより、表示体１ｊと共に、取付部材２ｊを折り畳んで複数重ねることができ、運搬や保管などに便利である。なお、取付部材２ｊを折り畳むときは、図２７(ｂ)に示す折返し片５２２を図２７(ａ)に示すように表側に戻せばよい。
【０２０９】
表示装置Ａ１１の組み立ては、例えば以下のようにして行う。
折り畳んだ取付部材２ｊを広げると共に、図２７(ｂ)に示すように、折返し片５２２を内方に折返して図２３に示す各係止突部５２から掛止部５２６，５２６を突出させる。
【０２１０】
そして、図２０に示すように、表示体１ｊの基部側開口１０を拡げたまま、底部側を係止部材５４の上方から嵌め込み、取付部材２ｊの係止突部５２，５２に表側部１１及び裏側部１２の各差込孔１５，１５を嵌め込む。
【０２１１】
更に、表示体１ｊは、基部側開口１０を閉じようとする自己閉鎖性を有しているので、図２１に示すように、表示体１ｊを嵌め込んだ状態では、表示体１ｊの底部側内方部分で係止部材５４を外方から締め付けたような状態となる。
【０２１２】
詳しくは、図２２に示すように、表示体１ｊが基部側開口１０を閉じようとする力に対し、取付部材２ｊの各係止突部５２，５２が表示体１ｊの表側部１１及び裏側部１２に内方から当接し、基部側開口１０を開いた状態に保持する。このような構造により、表示体１ｊは底部側が筒状または管状に組み立てられた状態で起立状態を保持する。
【０２１３】
更に、表示体１ｊが取り付けられた状態では、係止突部５２の各掛止部５２６，５２６が表示体１ｊの差込孔１５に外方から引っ掛かった状態になっている。これにより、表示装置Ａ１１の使用には、取付部材２ｊに取り付けた表示体１ｊの基部側開口１０が開くことが抑制され、各掛止部５２６に対する差込孔１５の係合が解除されることが防止される。したがって、多少の衝撃ややや強い風を受けた場合でも、表示体１ｊが取付部材２ｊから簡単に外れてしまうことを防止できる。
【０２１４】
次に、取付部材２ｊから表示体１ｊを外す際は、例えば以下のようにして行う。
まず、図２２に示す取付部材２ｊの裏面側（係止部材５４の裏側）が見えるように、表示装置Ａ１１をひっくり返す。そして、取付部材２ｊの開口部５３１から手を入れ、二箇所設けてある各係止突部５２の何れか一方側の折返し片５２２を摘む。このときの摘む折返し片５２２は一つで十分であるが、二つでも良い。
【０２１５】
そして、折返し片５２２を開口部５３１内方（同じ係止突部５２を構成する他方の折返し片５２２側へ）引っ張る。これにより、表示体１ｊの差込孔１５の縁部に引っ掛かった状態なっている掛止部５２６の掛止が解除される。一方の折返し片５２２の掛止部５２６による掛止が解除されると、係止突部５２を差込孔１５から引き抜くことができるようになる。よって、同様に他方の係止突部５２の掛止部５２６による掛止も解除し、その後、係止突部５２を差込孔１５から引き抜きいて、取付部材２ｊから表示体１ｊを取り外す。
【実施例１２】
【０２１６】
図２９及び図３０は、本発明に係る表示装置の第１２の実施例を説明するための図である。
図２９は、表示体を取り付ける取付部材２ｋの他の実施例を示す斜視説明図、
図３０は、図２９の取付部材２ｋを展開した状態である構成シート５５０を示す平面視説明図である。
なお、実施例１１（図２３参照）と同一または同等箇所には同一の符号を付して示している。また、実施例１１で説明した箇所については、説明を省略し、主に相異点を説明する。
【０２１７】
上記した実施例１１では、図２５に示す基板５３と図２６に示す構成シート５４０の二つの構成部品により取付部材２ｊ（図２３参照）を構成した。これとは相違して、本実施例における表示装置の取付部材２ｋ（図２９参照）では、全体を図３０に示す一枚の構成シート５５０で構成している。
【０２１８】
これにより、不使用時には取付部材２ｊを構成シート５５０の状態で運搬や保管などができるので、場所をとられず便利である。また、複数の部品を組み合わせて取付部材２ｊを製造する場合と比べて、組み立て工程が不要なため、製造が比較的容易である。
【０２１９】
更に実施例１１（図２７参照）では、取付部材２ｋの掛止部５２６を折返し片５２２の一部で構成した。これとは相違して、本実施例では、図３０に示すように折返し片５２２を有しておらず、掛止部をＬ形状の切欠部５２７で形成している。
【０２２０】
以下、取付体である取付部材２ｋの各構成部分について、実施例１１と比較しながら、詳しく説明する。
取付部材２ｋは、図３０に示すように展開状態ではシート状、薄板状または平面状の材料で形成された一枚の構成シート５５０で形成されている。その材料として例えば厚紙や段ボール等の紙製材料が好適に使用できる。
【０２２１】
構成シート５５０は、ほぼ中間位置に折り畳み用の折目５４１（本実施例では山折りの折目）を備えている。構成シート５５０はこの折目５４１を境にして左右対称（図３０で上下対称）に形成されている。
【０２２２】
構成シート５５０は、図３０で上下に所要数の間隔をおいて並設された一対の基板シート５５１，５５１を備えている。この一対の基板シート５５１，５５１によって、図２９に示す一枚の基板５３が構成される。また、基板シート５５１，５５１間には、両者を橋渡すように連設する係止部材シート５５５を備えている。この係止部材シート５５５によって、図２９に示す側面視山形状の係止部材５４を構成する。上記した折り畳み用の折目５４１は、係止部材シート５５５の長手方向の中間位置に設けてある。
【０２２３】
各基板シート５５１は平面視長方形状であり、係止部材シート５５５を両側から挟むような位置に向かい合わせに配置されている。基板シート５５１と係止部材シート５５５は谷折りの折目５５２によって連設されている。この折目５５２の両端部と連続するようにして左右二本の切目５５３（全体で四箇所）が形成されている。このような構成により、係止部材シート５５５の長手方向の両側（図３０で上下方向の両側）が各基板シート５５１，５５１と切り離された状態で可動するように構成されている。
【０２２４】
そうして、各基板シート５５１の対向する内縁部５５４，５５４を互いに合わせるようにして両者を接合することによって、図２９に示すように、一枚の基板５３が構成される。それと共に、係止部材シート５５５が折目５５２，５５２から立ち上がって山形状の係止部材５４を構成する。なお、取付部材２ｋを使用しないときは、図３０に示す構成シート５５０を折り畳み用の折目５４１で折り畳み（図２４とほぼ同様に）、コンパクトな形状にすることができる。
【０２２５】
更に、上記したように、係止突部５２は掛止部をＬ形状の切欠部５２７で形成している。そして、図２０と同様の表示体１ｋを取付部材２ｋに取り付けると、この係止突部５２の各切欠部５２７に表示体１ｋの差込孔１５の内縁部がそれぞれ引っ掛かる。これによって、多少の衝撃ややや強い風を受けた場合でも、表示体１ｋが取付部材２ｋから簡単に外れてしまうことを防止できる。なお、図２７に示す掛止部５２６の構造を採用することもできる。
【実施例１３】
【０２２６】
図３１ないし図３５は、本発明に係る表示装置の第１３の実施例を説明するための図である。  
図３１及び図３２は、表示装置Ａ１３を構成する表示体１ｎと取付部材２ｎの係合状態を説明するための斜視説明図である。
そのうち、図３１は表示体１ｎを取付部材２ｎに取り付ける前の状態を示し、図３２は取り付けた後の状態を示している。
図３３は、図３１に示す取付部材２ｋを拡大して表した斜視説明図である。
図３４は、図３２に示す表示装置Ａ１３を上方側面（上方の横）から見た平面視拡大説明図である。
【０２２７】
なお、実施例２（図５参照）及び実施例１２（図２９及び図３０参照）と同一または同等箇所には同一の符号を付して示している。また、実施例２及び実施例１２で説明した箇所については、説明を省略し、主に相異点を説明する。
【０２２８】
本実施例に係る表示装置Ａ１３では、実施例１２（図２９参照）と相違して、取付体である取付部材２ｋに重り体７３（例えば「ペットボトル」等の使用済みの飲料用容器）を置くための載置スペースＳ１，Ｓ１を有している。更には、表示体１ｎの形状が主に異なっている。
以下、取付部材２ｋ及び表示体１ｋについて、順を追って詳しく説明する。
【０２２９】
［取付部材２ｋ］
図３５は、図３３に示す取付部材２ｎの展開した状態である構成シート５６０を示す平面視説明図である。
実施例１２で説明した構成シート５５０（図３０参照）と比較しながら説明する。
【０２３０】
図３５に示す構成シート５６０により、図３３に示す取付体である取付部材２ｎを立体的に組み立てることができる。構成シート５６０は、図３０に示した構成シート５５０と相違して、係止部材５４を構成する係止部材シート５５５ａに平面視略「コ」状の切目を構成する切断線５６１，５６１，５６２（以下、切断線５６１を「第一切断線５６１」、切断線５６２を「第二切断線５６２」という）をそれぞれ備えている。
【０２３１】
各第一切断線５６１は、切目５５３と並行または本質的に並行に形成されている。第一切断線５６１の基端部と切目５５３の基端部は、谷折りの折目５６３で連設されている。
各第二切断線５６２は、基板シート５５１の対向する内縁部５５４と同一または本質的に同一線上に形成されている。
【０２３２】
このような構成により、各基板シート５５１の対向する内縁部５５４，５５４を互いに合わせるようにして、図３４に示すように両者を接合する。これにより、図３３に示すように、谷折りの折目５６３から立ち上がった係止部材シート５５５の一部（切目５５３と第一切断線５６１で挟まれた部分）によって足部５６４が構成される。
【０２３３】
足部５６４は、所要の間隔をおいて所要数（本実施例では複数、二つずつ並設され合計四箇所）設けてある。そして、同じ基板シート５５１側に設けてある一対の足部５６４と足部５６４の間に、上記した重り体７３（ウエイト体）を置くための載置スペースＳ１が構成される。重り体７３を置くことで、表示装置Ａ１３の土台部分の安定性が向上する。
【０２３４】
重り体７３としては、上記したように、使用済みのいわゆるペットボトル（ポリエチレンテレフタレート製ボトル型容器）がリサイクルの観点から好適に使用できる。なお、このペットボトルには水などの液体を入れても良いし、砂や砂利等の粒状固体を入れることもできる。なお、重り体７３を取付部材２ｋを構成する部材として表示装置Ａ１３に含ませることもできるし、表示装置Ａ１３を構成する部材と別の部材として含ませないこともできる。
【０２３５】
更に、図３０に示した構成シート５６０とは相違して、図３５に示す本実施例に係る構成シート５６０では、係止突部５２（図２３参照）を構成するための突部形成片５２０に掛止部５２６が設けられていない。ただし、掛止部５２６を設けることもできる。掛止部５２６は図２３に示すような突状の掛止部５２６で構成することができるし、図２９に示すようなＬ形状の切欠部５２７で構成することもできる。
【０２３６】
［表示体１ｎ］
図３１、図３２及び図３４を参照すると共に、実施例２で説明した表示体１ａ（図５参照）と比較しながら、本実施例の表示体１ｎについて説明する。
【０２３７】
本実施例に係る表示体１ｎは、図５に示した表示体１ａと相違して、幅の広い表側部１１ｎに幅の狭い裏側部１２ｎを貼り合わせるようにして構成されている。更に、裏側部１２ｎの高さ方向の長さは、表側部１１ｎのそれよりも短くなっており、面積の広い表側部１１ｎに例えば商品の広告などの表示を好適に施すことができる。
【０２３８】
即ち、図３１に示すように、幅の狭い方の裏側部１２ｎの幅方向両端側には、その長さ方向（高さ方向）全体に渡って帯状の糊代部１２１，１２１が設けてある。そして、図３４に示すように、この糊代部１２１を表側部１１ｎの内側面に接着剤、粘着剤、またはステープル等によって取り付けることで、裏側部１２ｎが表側部１１ｎに取り付けられている。
【０２３９】
そして、図３４に示すように、表示体１ｎを取付部材２ｎに取り付けた後は、表側部１１ｎと裏側部１２ｎが弓形状にそれぞれ湾曲し、重り体７３はその内部に収容されて表示装置Ａ１３の外部から見えない（図３２も参照）。
【０２４０】
このように、表側部１１ｎに幅の狭い裏側部１２ｎを端に貼り合わせるだけで表示体１ｎを構成できる。よって、図５に示す略円筒状の表示体１ｎと比べて、表側部１１ｎと裏側部１２ｎの端をきっちりと合わせる製作工程上の手間や、両端部の糊代部の折り曲げ作業等が不要であるので、比較的容易に製作できる。なお、差込孔１５ｃは図２８(ｃ)で示したものを採用している。
【０２４１】
更に図３２に示すように、組み立てられた表示体１ｎの裏側部１２ｎの先端側（図３２で上縁部）には、裏側部１２ｎの幅方向の中央部分が内方に凹むことを防止するための形状保持体７４が取り付けてある。形状保持体７４は、シート状、薄板状の紙製材料を二枚に折り曲げて帯状としたものである。
【０２４２】
そして、形状保持体７４の所要の位置（本実施例では両端寄りの二箇所）に切欠部７４１が形成されている。また裏側部１２ｎの先端縁部の対応する位置（本実施例では両端寄りの二箇所）にも、形状保持体７４の切欠部７４１と接合する切欠部１２２が形成されている。この切欠部７４１，１２２同士を合わせることで、形状保持体７４が表示体１ｎから簡単に外れないようにしている。なお、形状保持体７４または表示体１ｎの何れか一方の切欠部を省略することもできる。
【実施例１４】
【０２４３】
図３６は、本発明に係る表示装置の第１４の実施例を示す斜視説明図である。
なお、実施例９（図１４等参照）と同一または同等箇所には同一の符号を付して示している。また、実施例９で説明した箇所については、説明を省略し、主に相異点を説明する。
【０２４４】
本実施例に係る表示装置Ａ１４を構成する取付部材２ｐでは、実施例９（図１４参照）と相違して、係止部材２１ｂ，２１ｂを有する基板２０ｂに、杭やアンカー等といった打ち付け部材７５が一体的に取り付けてある。打ち付け部材７５の先部側は、安全性を考慮してＬ形状に曲げてある。
【０２４５】
打ち付け部材７５には、板状の接合部７５１が溶接によって固定されている。接合部７５１の板面は、打ち付け部材５１の長さ方向とほぼ一致する方向に固定されている。また、基板２０ｂの底部のほぼ中央部分にも、同程度の大きさの板状の接合部７５２が溶接して取り付けてある。この接合部７５２は、基板５３に対してほぼ垂直方向に固定されている。そして、打ち付け部材７５と基板５３の接合部は、締付ボルトや締付ネジ等の締付固定具７５４によって固定されている。
【０２４６】
以上のような構成により、まず、打ち付け部材７５を地中に打ち込んで、取付部材２ｐを接地面に固定した後、取付部材２ｐに表示体１ｐを取り付ける。
【０２４７】
なお、本実施例では、打ち付け部材７５の長さ方向のほぼ中間位置に、回動防止体７５３が取り付けてある。回動防止体７５３は金属製の棒状体で形成され、打ち付け部材７５に溶接によって固定されている。回動防止体７５３は、打ち付け部材７５と一緒に地中内に打ち付けられることで、断面円形状で棒状の打ち付け部材７５の回動を防止している。
これにより、表示体１ｐが多少の衝撃ややや強い風を受けた場合でも、取付部材２ｐが回動して表示体１ｐが動くことを防止している。
【０２４８】
図３７は、表示体１ｐの係合孔の他の実施例を示す部分拡大正面視説明図であり、図１７(i)に対応するものである。
【０２４９】
実施例９（図１７(ａ)参照）では、係合孔１１５ａ，１１５ｂの大きさを係止突起２１５ａ，２１５ｂよりも径大としている。これとは相違して、本実施例では、係合孔１１５ｃ，１１５ｄの大きさを図１７(ａ)に示す係止突起２１５ａ，２１５ｂよりも径小に形成することで、一旦嵌め込んだ表示体１ｐの係合孔１１５ｃ，１１５ｄから係止突起２１５，２１５ａ，２１５ｂが簡単に外れないようにしている。
【０２５０】
即ち、図３７では、左右一対の各係合孔１１５ｃ，１１５ｄは単なる円形状ではなく、補強板１１６の中央側寄りの円弧部分を一部を外れ防止片２１０として残すように、係止突起２１５ａ，２１５ｂの外径よりも径小に形成されている。外れ防止片２１０には、補強板の中央側に向かって切込部２１９がそれぞれ設けてある。
【０２５１】
この切込部２１９によって、表示体１ｐの表側部と裏側部（図示省略）を押し込めば、外れ防止片２１０が外方に折れ曲がって係合孔１１５ｃ，１１５ｄの内径が拡がり、係合孔１１５ｃ，１１５ｄを係止突起２１５ａ，２１５ｂ（図１７(ａ)参照）に嵌め込むことができる。しかも、一旦、係合孔１１５ｃ，１１５ｄを嵌め込めば、やや強めに引っ張っらないと、係止突起２１５ａ，２１５ｂから表示体１ｐが外れないようになっている。
【０２５２】
図３８は、係止部材２ｂ，２１ｂの係止突起及び表示体１ｎの係合孔の更に他の実施例を示す説明図である。
図３８(ａ)は、係止突起２１５ｐ，２１５ｐに対する表示体１ｂの係合状態を平面方向から見た部分拡大説明図であり、図１７(ａ)に対応するものである。
図３８(ｂ)は、表示体１ｐの係合孔１１５ｅ，１１５ｆを示す部分拡大正面視説明図であり、図１７(ｂ)に対応するものである。
【０２５３】
実施例９（図１７(ａ)参照）では、左右一対の係止突起２１５ａ，２１５ｂの内方側に凹部２１６が設けてある。これとは相違して、図３８(ａ)に示すように、各係止突起２１５ｐの基端部を先端側よりも細く形成することで、基端部の周縁部全体に外れ防止要素（引っ掛かり要素）を構成する凹部（凹み）２１６ａを形成することができる。  
【０２５４】
一方、各係止突起２１５ｐに嵌め込む表示体１ｐの係合孔１１５ｅ，１１５ｆは、実施例９（図１７(ｂ)参照）と相違して、側面視方形状に形成されている。そして、係合孔１１５ｅ，１１５ｆの大きさは、各係止突起２１５の先部側の径大部分よりも径小に形成されている。
【０２５５】
更には、図３８(ｂ)で係合孔１１５ｅ，１１５ｇの各上下の両端部には、所要の長さの切込部２１１，２１１がそれぞれ形成されている。この各切込部２１１により、表示体１ｎの表側部１１ｎを押し込めば、径小の係合孔１１５ｅ，１１５ｆの内径が拡がり、係合孔１１５ｅ，１１５ｆを係止突起２１５ｐ，２１５ｐに嵌め込むことができる。しかも、一旦差し込めば、やや強めに引っ張らないと係止突起２１５ｐ，２１５ｐからは係合孔１１５ｅ，１１５ｆは外れない。
【実施例１５】
【０２５６】
図３９及び図４０は、本発明に係る表示装置の第１５の実施例を示す説明図である。
図３９は、表示体１ｒを取付部材２ｒに取り付けた表示装置Ａ１５全体を示す斜視説明図であり、表示体１ｒを一点鎖線で示している。
図４０は、取付部材２ｒを示す拡大斜視説明図である。
【０２５７】
なお、実施例９（図１４参照）と同一または同等箇所には同一の符号を付して示している。また、実施例９で説明した箇所については、説明を省略し、主に相異点を説明する。
【０２５８】
本実施例に係る表示装置Ａ１５では、実施例９（図１４参照）と相違して、表示装置Ａ１５の取付部材２ｒを杭やアンカー等の打ち付け部材で固定するのではなく、細板状の基板２０ｂに固定した土台８２によって表示装置Ａ１５の安定性を向上させている。更に、取付体である取付部材２ｒは、重り体７３（例えば「ペットボトル」等の使用済みの飲料用容器）を置くための載置スペースである収容部Ｓ２，Ｓ２を有している。
【０２５９】
即ち、図４０に示すように、係止部材２１ｂ，２１ｂの基板５３が固定されている土台８２は、重量のある材料（例えばゴム、金属、合成樹脂、あるいはそれらを組み合わせたもの等）で形成することが好ましい。また土台８２として、安全コーン等と称される交通整理等に使用されるコーン部材に取り付けるゴム製の土台を好適に利用することもできる。
【０２６０】
土台８２の中央には、円形の貫通孔８２１が設けてある。この貫通孔８２１の上を橋渡すようにして、基板２０ｂの両端部が土台８２にネジやビス等の締付固定具２１２でそれぞれ固定されている。
【０２６１】
更に、固定された基板２０ｂと交差する位置に、上記した重り体７３（ペットボトル等）を嵌め入れるための重り体取付部８３が設けてある。重り体取付部８３は、プラスチックや金属、あるいはそれらを組み合わせた等やその他の材料で、例えば薄板状に形成することができる。重り体取付部８３の両端側は、土台８２にネジやビス等の締付固定具２１３によって固定されている。重り体取付部８３の中央側は、基板２０ｂの底面側（図４０で下）を通して配置されている。
【０２６２】
取付部８３は、基板２０ｂの両側に重り体７３の基部側を差し入れる開口部８３１，８３１をそれぞれ備えている。更に重り体７３の基部側は貫通孔８２１内に配置されと共に、表示体１ｒ（図３９参照）の内部に収容されて表示装置Ａ１５の外部から見えない。
【０２６３】
図４０に示すように、重り体７３をペットボトルで構成する場合には、ペットボトルの外形形状に合わせて開口部８３１を形成することが好ましい。開口部８３１の縁部の所要の位置には、ペットボトルの凹部に合わせて掛止突起８３２を形成することもできる。これにより、開口部５３１に嵌め入れたペットボトルは、やや強い力で引き抜かないと外れないようになっている。また、基板２０ｂまたは／及び重り体取付部８３は、土台８２と一緒に一体的に形成することもできる。
【０２６４】
なお、土台８２は、実施例１（図１参照）に示すような貫通孔８２１を有さない基板２０で構成することもできる。その場合、重り体７３の収容部Ｓ２を有する筒状体、管状体、または有底円筒体によって重り体取付部８３を形成することもできる。また、係止部材２１ｂ，２１ｂを直接的に土台８２に固定するようにすれば、基板２０ｂを省略することもできる。
【実施例１６】
【０２６５】
図４１は、本発明に係る表示装置の第１６の実施例を説明するための使用状態説明図である。
本実施例では、表示装置Ａ１６を所要数（本実施例では複数、二つ）使用してその間に帯状の表示体９（以下、「掛け渡し表示体９」という）を掛け渡して使用している。
【０２６６】
図４１に示す表示装置Ａ１６の表示体１０ｒは、先端部が閉じられ側面視で全体が山形状に形成されている。そして、表示体１の先端部の両端側には、掛け渡し表示体９を引っ掛けて吊すための切欠部４４が設けてある。切欠部４４（丸Ｅで囲んで示す拡大断面図を参照）は、正面視で逆三角形の切欠孔４４１と切欠孔４１１から先端部まで連通した切込部４１２で構成されている。
【０２６７】
一方、掛け渡し表示体９は、横断幕のように表示面が広い表示部９１と、この表示部を表示装置Ａ１６に取り付けるための取付体である取付帯９２を備えている。取付帯９２は、表示部９１の両端部上方に固定されている。掛け渡し表示体９は、柔軟性を有する紙製材料や、布等の材料で形成できる。
【０２６８】
取付帯９２は、表示装置Ａ１６の表示体１０ｒに引っ掛けるための開口部９２１を有し、この開口部９２１は切込みを広げることで構成できる。そして、取付帯９２の開口部９２１を表示装置Ａ１６の表示体１０ｒの端縁部４５に差し込むことで、掛け渡し表示体９を表示体１に引っ掛けることができる。
【０２６９】
例えば表示装置Ａ１６には「福岡商店」のような表示を施し、掛け渡し表示体には「１０月１０日  オープンセール」のような表示装置Ａ１６とは異なる表示を施すことができる。
【実施例１７】
【０２７０】
図４２及び図４３は、本発明に係る表示装置の第１７の実施例を説明するための図である。
図４２は、表示体装置Ａ１７を構成する表示体１ｔを示しており、表示体１ｔを平たく畳んだ状態を示す側面視説明図、
図４３は、図４２に示す表示体の平面視説明図であり、表示体１ｔを平たく畳んだ状態を実線で表し、基部側開口１０を開いた状態を一点鎖線で表している。
【０２７１】
なお、実施例９（図１４参照）と同一または同等箇所には同一の符号を付して示している。また、実施例９で説明した箇所については、説明を省略し、主に相異点を説明する。
【０２７２】
図４２及び図４３に示す表示体１ｔは先端側が閉じられた筒状体であって、全体が略袋状に形成されている。そして、基部側開口１０を開くことによって、表示体１ｔの基部側を平面視で長円形状に膨らませることができる。
【０２７３】
また表示体１ｔは、上記した実施例と同様に、基部側開口１０を閉じようとする自己閉鎖性を有している。これにより、表示体１ｔを取付部材（図示省略）に取り付けることで、表示体１ｔを略筒状に立体的に組み立てた状態で維持できる。
【０２７４】
表示体１ｔは、例えば合成樹脂で一体成形することができる。成形方法としては、熱可塑性樹脂を材料としたブロー成形を採用することもできるし、その他の公知の成形方法が適宜採用できる。また一体成形ではなく、例えば合成樹脂製のシートを折り曲げ、溶着や接着等の接合によって成形することもできる。                       
【０２７５】
図４２に示すように、表示体１ｔは、正面視で全体が先部側に向かってややすぼまるようにして形成されている。これにより、表示体１ｔを立体的に組み立てた際の安定性を向上させると共に、表示体１ｔを上方から見下ろした際に基部側が細く見えてしまうことを防止するといったデザイン上の効果がある。
【０２７６】
また表示体１ｔを構成する各表側部１１ｔと裏側部１２ｔには、各表示部１１０（本実施例では縦長）を囲むようにして細い溝１２０がそれぞれ設けてある（図４２で丸Ｆで囲んで示す横断面部分拡大図を参照）。各溝１２０は、表示部１１０の外周部（各表側部１１ｔと裏側部１２ｔの周縁部付近）に連続して形成してある。なお、この溝１２０を省略することもできる。
【０２７７】
そして、表示部１１０には、例えば販売を目的とする商品名や「駐車禁止」などといった文字等を表示を施すことができる。例えば上記したような表示を、柔軟性を有する合成樹脂製のシートまたはフィルム、あるいは紙等に印刷し、表示部１１０に貼り付けても良い。また、表示部１１０よりも面積の広い合成樹脂製のシート等を表示部１１０に一旦貼り付け、その後、カッター等で溝１２０をなぞって表示部１１０からはみ出した不要なシート部分を取り除くようにしても良い。
【０２７８】
表示体１ｔの基端側の中央付近には、長方形状の当接部１３０が設けてある。この当接部１３０の裏面側に、例えば図１４に示すような取付部材２ｂの係止部材２１ｂの側壁部２８が当接する。符号１１５ａと符号１１５ｂは、係止部材２１ｂの係止突起２１５ａ，２１５ｂを嵌め入れる係合孔を示している。符号２１９は、係合孔１１５ａ，１１５ｂに形成された切込部を示している。
【０２７９】
係合孔１１５ａと係合孔１１５ｂの間には、取付部材２ｂから表示体１ｔを取り外す際に指やフック等を引っ掛けるための孔２２０を示している。この孔２２０は、図１４で示した引張部材１１７と同じか大体同じ作用を有しているので、説明を省略する。
【０２８０】
更に、当接部１３０の両側には、表示体１ｔの幅方向に平行するように突条部１４０が設けてある。突条部１４０は、表示体１ｔの高さ方向に所要の間隔をおいて所要数または複数設けてある（図４２で丸Ｇで囲んで示す拡大断面図を参照）。
【０２８１】
この突条部１４０は、表示体１ｔの基部側の強度またはこしを向上させるためのリブの役目を有している。これにより、基部側開口１０の自己閉鎖性が向上し、取付部材２ｂに対する締付力が増加して、表示体１ｔが取付部材に強固に取り付けられる。なお、この突条部１４０を省略することもできる。
【０２８２】
その他の作用及び効果は、上記した実施例と大体において同じであるため、説明を省略する。
【実施例１８】
【０２８３】
図４４ないし図４９は、本発明に係る表示装置の第１８の実施例を説明するための図である。
図４４は、表示装置Ａ１８の表示体１ｓに表示シート１００を被せている状態を示す斜視説明図、
図４５は、表示体１ｓを取り付ける取付部材２ｓを上面側から見た拡大斜視説明図、
図４６は、図４５に示す取付部材２ｓを底面側から見た斜視説明図、
図４７は、図４５に示す取付部材２ｓのII−II部分に対応する断面を示す説明図である。
【０２８４】
なお、実施例１７（図４２参照）と同一または同等箇所には同一の符号を付して示している。また、実施例１７で説明した箇所については、説明を省略し、主に相異点を説明する。
【０２８５】
図４４に示す表示装置Ａ１８は、実施例１７の表示体１ｔ（図４２参照）と同様に、合成樹脂で形成された表示体１ｓを備えている。表示体１ｓは、取付体である取付部材２ｓに着脱可能に取り付けることができる。表示体１ｓは、例えば２ミリ程度の厚みを有し、多少の衝撃を受けても表示面１０１が凹むことのない硬質のプラスチック材料で形成することが好ましい。
以下、表示体１ｓと取付部材２ｓの順で更に詳しく説明する。
【０２８６】
（表示体１ｓ）
図４４に示すように、表示体１ｓには、外側（表裏面）に表示面１０１を備えた表示シート１００を先端側から着脱可能に被せることができる。表示シート１００は、基端部に開口部１０２を有する略袋状の筒状体である。表示シート１００の材料として、例えば耐水性を有する合成樹脂製シートを採用することができる。
【０２８７】
表示シート１００は、例えばややきつく被せて表示体１ｓに密着させることができる大きさで形成することができる。その際、表示シート１００を円滑に被せることができるように、表示シート１００は柔軟性を有する合成樹脂製シートで形成することが好ましい。表示シート１００は先部側が閉じられており、その先部側両端がやや丸みをつけて形成されている。
【０２８８】
また、表示シート１００の先部側を開口させて、全体を筒状または管状に形成することもできる。これにより、表示シート１００がより被せやすくなる。また、材料費を抑えて製品のコストダウンを図ることができる。
【０２８９】
そして、表示シート１００の表示面１０１に、例えば商品の広告や店の宣伝（呼び込み）、または土地販売であれば「売地」等の各種表示を施すことができる。更にこの表示を印刷技術（例えばグラビア印刷等）によって行えば、文字やイラスト等の多種多様の表示を容易に施すことができる。
【０２９０】
このように、表示体１ｓにではなく、表示体１ｓに被せる表示シート１００側に各種の表示を施すようにすれば、表示シート１００を取り換えるだけで、同じ表示体１ｓを繰り返して使用することができる。
【０２９１】
具体的な使用例を挙げると、国際会議場などにおける各種イベント会場の出入口等に案内表示として本実施例の表示装置Ａ１８を置き、各種イベントに応じて表示内容の異なる表示シート１００をその都度被せるようにすれば、同じ表示体１ｓを繰り返して使用することができる。
また、コンビニエンスストアや電化製品販売店等において、セール品やタイムセールの商品の内容に応じて臨機応変に表示シート１００を適宜取り換えるような使い方も採用できる。
【０２９２】
（取付部材２ｓ）
図４５に示すように、取付部材２ｓは、平面視略方形状で所要の厚みを有する基体２０ｓと、基体２０ｓの表面部６１１に取り付けられた係止部材２１ｂ，２１ｂを有している。係止部材２１ｂ，２１ｂは、実施例９（図１４参照）で説明したものと同じか大体同じであるため、説明を省略する。係止部材２１ｂ，２１ｂは、表面部６１１に設けてある中央の孔６１２を間に挟むようにしてその両側にそれぞれ設けてある。
【０２９３】
基体２０ｓは、合成樹脂によって一体成形することができる（ただし、後述する蓋６１７は別途成形）。基体２０ｓは、図４６及び図４７に示すように、底面側中央に底面側から表面部９１１へ向けて凹ませてある収容凹部６１３を有している。収容凹部６１３は、底面側から表面部６１１に向かってすぼまるように断面山形状に大きく凹ませてある（図４９も参照）。
【０２９４】
取付部材２ｓは、表示体１ｓの転倒を防止するために、内部に重りのための液体または流動性固体を入れる（充填する）ことができる空所２００（図４７、後述の図４９参照）を有している。詳しくは、取付部材２ｓを構成する基体２０ｓが、内部に水等の液体または砂等の流動性固体を入れることができる空所である流体収容部２００を有している。流体収容部２００は、基体２０ｓの内部が中空に形成されることで構成されている。
【０２９５】
つまり、流体収容部２００に充填する液体や流動性固体の量によって、取付部材２ｓの重量を適宜調整できる。したがって、例えば車で移動しなければならないような場所に表示装置を設置するようなときには、その設置現場において液体や流動性固体を充填するようにすれば、運搬時の取付部材２ｓが重くならずに、より多くの表示装置を車に積むことができ、また保管時等の取扱いも容易である。
【０２９６】
図４５及び図４６で符号６１８は、液体や流動性固体を流体収容部２００に入れたり排出したりする開口部を備えた蓋６１７付きの流体充填部を備えている。流体充填部６１８は、基体２０ｓの外へ出っ張らないように、基体２０ｓ側面の一部を内側に凹ませた凹部６１９に配置されている。
【０２９７】
図４８は、図４７に示す取付部材２ｓを上下二つ重ねた状態を示す断面説明図であり、重ねた上側の取付部材２ｓを一点鎖線で示している。
図４９は、同じく図４７に示す取付部材２ｓを上下二つ重ねた状態を示す断面説明図であり、図４５のIII−III部分に対応する断面を示す説明図である。なお、図４８と同様、上側の取付部材２ｓを一点鎖線で示している。
【０２９８】
そして、図４８及び図４９に示すように、取付部材２ｓは複数積み重ねできるように構成されており、積み重ねた場合に上の取付部材２ｓ（基体２０ｓ）の収容凹部６１３に、下の取付部材２ｓの係止部材２１ｂ，２１ｂが収まるようになっている。このような構成により、例えば風の影響を受ける屋外で設置する場合には、取付部材２ｓを複数重ねて土台の重量を増し、表示装置Ａ１８の安定性を向上させることができる。
【０２９９】
なお、重ねる取付部材２ｓの数は、図示の２個に限定されるものではなく、３個以上重ねることができることは言うまでもない。また、複数重ねた取付部材２ｓの安定性を向上させるため、取付部材２ｓ同士を紐やその他の固定具で連結することもできる。その場合は、例えば図４８で左右両端に示す打ち付け部材用の孔６２０，６２０を利用し、この孔６２０,６２０に紐を通して固く結んだり、固定具を差し込んで固定することで、取付部材２ｓ同士を連結することができる。
【０３００】
更に、基体２０ｓの表面側と底面側には、取付部材２ｓを上下積み重ねた際に本質的に基体２０ｓの位置がずれないようにするための手段が設けてある。即ち、図４５に示す基体２０ｓの表面部６１１の所要の位置に、基体２０ｓの底面部６１４に設けてある凹み６１５に合致する係止部である突部６１６が形成されている。
【０３０１】
突部６１６は、平面視円形で球面状に形成されているが、特にこの形状に限定するものではない。なお、突部６１６は所要数（本実施例では複数、孔６１２を間に挟むようにして両側に二箇所）設けてあり、取付部材２ｓに取り付けた後の表示体１ｓの内部に収まって外から隠れる位置にある。この取付部材２ｓの位置が本質的にずれないようにするための手段は、他の公知技術を適宜採用することができる。
【０３０２】
図４７に示すように、係止部材２１ｂ，２１ｂは、ネジやビス等の締付固定具２７０によって基体２０ｓの底部側（収容凹部６１３の先部面側）から固着されている。
【０３０３】
また図４５に示すように、基体２０ｓの表面部６１１における各係止部材２１ｂの取付位置には、各係止部材２１ｂが取り付けられる向きに沿うようにして設けられた突条部６００が複数並設されている。取付部材２ｓの組み立て製造時においては、この突条部６００の上から係止部材２１ｂを取り付けることで、突条部６００が各係止部材２１ｂの凹部２７３（実施例９、図１４参照）内に嵌り込む。これによって、係止部材２１ｂの取り付け向きがずれること防止している。
【０３０４】
図４７に示すように、基体２０ｓの両端側（図４５も参照）には、接地面に対する固定手段であって打ち付け部材である杭やアンカー等（図示せず）を差し入れる孔６２０，６２０が設けてある。本実施例では、孔６２０が対向して配置されるように基体２０ｓの角部に所要数（本実施例では複数、合計二箇所）に設けてあるが、特にこの数や位置に限定されない。
【０３０５】
孔６２０は、内側に凹んだ基体２０ｓの角部の残部片６２１に形成された貫通孔で構成されている。このように、内側に凹ませた部分に孔６２０を設けることにより、打ち付け部材が基体２０ｓの外に出っ張ることを防止している。この孔６２０にゴムや柔軟性を有する合成樹脂製のリング（図示せず）を取り付けて、孔６２０の破損を防止することもできる。
【０３０６】
図４６に示す底面部６１４において、基体２０ｓの四隅部分には小さ目の凹み６２２が形成されている。そして、底面部６１４が直接接地面に接触しないように、この凹み６２２にゴムや柔軟性を有する合成樹脂製でチップ状の接地具（図示省略）を取り付けることもできる。またこの凹み６２２を利用したり、別途新たに取り付け孔を設けてキャスター（図示省略）を取り付けるようにしても良い。
【０３０７】
基体２０ｓの中央の孔６１２には、電球や蛍光灯等の各種の照明手段である照明装置（図示省略）を取り付けることができる。また図４６に示すように、底面部６１４には収容凹部６１３を中心として十字状に形成された溝６２３が設けてあり、照明装置を取り付けた際に配線を外に引き出すための案内溝として使用できる。
【０３０８】
照明装置を取り付ける場合は、表示体１ｓ及び表示シート１００の全体または一部を透光性を有する素材で形成すれば良い。このようにすれば、薄暗い設置場所や夜間での設置に効果的であり、遠くからでも表示装置Ａ１８の位置を特定しやすい。よって、夜間営業する店の立て看板として、あるいは交通整理用の案内標識としても好適に使用できる。なお、照明装置は基体２０ｓ側だけでなく、表示体１ｓ側またはその両方に取り付けても良い。
【０３０９】
また、表示シート１００に施したイラストの一部や文字だけを透光性を有する素材で形成し、そこから光を部分的に発するようにすれば、昼間でも表示体１ｓや施された文字が目立ちやすくい。更に、取付部材２ｓを利用せずに、表示体１ｓだけを壁面に取り付けて看板として利用することもできるし、照明手段を利用すれば、提灯看板のような使い方もできる。
【０３１０】
また更に、図４４に示す表示装置は、フラワースタンド(花立てスタンド)としても使用することができる。例えば、合成樹脂製の表示体１ｓの表裏面に吊下具用の孔やリング等の引掛部を所要数設け（表示シート１００を使用せず）、その各引掛部にフックやハンガー等の吊下具を備えた植木鉢を着脱可能に取り付けるようにしても良い。
【０３１１】
その他の作用及び効果は、上記した実施例と大体において同じであるため、説明を省略する。
【０３１２】
なお、本明細書で使用している用語と表現はあくまで説明上のものであって、限定的なものではなく、上記用語、表現と等価の用語、表現を除外するものではない。また、本発明は図示の実施例に限定されるものではなく、技術思想の範囲内において種々の変形が可能である。
【０３１３】
更に、特許請求の範囲には、請求項記載の内容の理解を助けるため、図面において使用した符号を括弧を用いて記載しているが、特許請求の範囲を図面記載のものに限定するものではない。
【図面の簡単な説明】
【０３１４】
【図１】本発明に係る表示装置の第１の実施例を示す説明図。
【図２】図１に示す表示装置を構成する表示体を示しており、表示体を畳んだ状態を表している斜視説明図。
【図３】表示体と表示体を取り付ける取付体との係合状態を説明するための分解斜視説明図。
【図４】図１に示す表示装置のＩ−Ｉ部分に対応する断面説明図。
【図５】本発明に係る表示装置の第２の実施例を示す斜視説明図。
【図６】本発明に係る表示装置の第３の実施例を示す斜視説明図。
【図７】図６に示す表示装置の分解斜視説明図。
【図８】本発明に係る表示装置の第４の実施例を示す説明図。
【図９】本発明に係る表示装置の第５の実施例を示す説明図。
【図１０】本発明に係る表示装置の第６の実施例を示す説明図。
【図１１】図１０に示す表示装置の側面視説明図。
【図１２】本発明に係る表示装置の第７の実施例を示す説明図。
【図１３】本発明に係る表示装置の第８の実施例を示す説明図。
【図１４】本発明に係る表示装置の第９の実施例を示す部分拡大斜視説明図であり、表示体を取付部材に取り付ける前の状態を示している。
【図１５】表示体を取付部材に取り付けた後の状態を示す表示装置の部分拡大斜視説明図。
【図１６】取付部材を構成する係止部材の平面視拡大説明図。
【図１７】係止突起の構造と係止突起に対する表示体の係合状態を説明するための部分拡大説明図。
【図１８】引張部材の他の形態を示す部分拡大斜視図。
【図１９】本発明に係る表示装置の第１０の実施例を示す部分拡大斜視説明図。
【図２０】本発明に係る表示装置の第１１の実施例を示す部分拡大斜視説明図であり、表示体を取付部材に取り付ける前の状態を示している。
【図２１】表示体を取付部材に取り付けた後の状態を示す部分拡大斜視説明図。
【図２２】図２１に示す表示装置を底面方向（表示体の基部側開口側）から見た説明図。
【図２３】図２０に示す取付部材の斜視説明図。
【図２４】図２３に示す取付部材を幅方向に折り畳んだ状態を示す平面視説明図。
【図２５】図２３に示す取付部材を構成する基板を示す平面視説明図。
【図２６】図２５に示す基板と共に、取付部材を構成する構成シートを展開した状態で示した平面視説明図。
【図２７】図２６で左側に位置する突部形成片の一部を拡大して表した部分平面視説明図。
【図２８】表示体に設けてある差込孔の他の実施例を示す部分拡大正面視説明図。
【図２９】本発明に係る表示装置の第１２の実施例を示し、表示体を取り付ける取付部材２ｋの他の実施例を示す斜視説明図。
【図３０】図２９の取付部材を展開した状態である構成シートを示す平面視説明図。
【図３１】本発明に係る表示装置の第１３の実施例を示す斜視説明図であり、表示体を取付部材に取り付ける前の状態を示す。
【図３２】表示体を取付部材に取り付けた後の状態を示す斜視説明図。
【図３３】図３１に示す取付部材を拡大して表した斜視説明図。
【図３４】図３２に示す表示装置を上方側面から見た平面視拡大説明図。
【図３５】図３３に示す取付部材の展開した状態である構成シートを示す平面視説明図。
【図３６】本発明に係る表示装置の第１４の実施例を示す斜視説明図。
【図３７】表示体の係合孔の他の実施例を示す部分拡大正面視説明図。
【図３８】係止部材の係止突起及び表示体の係合孔の更に他の実施例を示す説明図。
【図３９】本発明に係る表示装置の第１５の実施例を示し、表示体を取付部材に取り付けた表示装置全体を示す斜視説明図。
【図４０】取付部材を示す拡大斜視説明図。
【図４１】本発明に係る表示装置の第１６の実施例を説明するための使用状態説明図。
【図４２】本発明に係る表示装置の第１７の実施例を示す側面視説明図。
【図４３】図４２に示す表示体の平面視説明図。
【図４４】本発明に係る表示装置の第１８の実施例を示しており、表示装置Ａ１８の表示体１ｓに表示シート１００を被せている状態を示す斜視説明図。
【図４５】表示体１ｓを取り付ける取付部材２ｓを上面側から見た拡大斜視説明図。
【図４６】図４５に示す取付部材２ｓを底面側から見た斜視説明図。
【図４７】図４５に示す取付部材２ｓのII−II部分に対応する断面を示す説明図。
【図４８】図４７に示す取付部材２ｓを上下二つ重ねた状態を示す断面説明図。
【図４９】同じく図４７に示す取付部材２ｓを上下二つ重ねた状態を示す断面説明図。
【図５０】従来の組み立て式の簡易立て看板の一例を示す斜視説明図。
【符号の説明】
【０３１５】
Ａ１〜Ａ１８ 表示装置
１〜１t、１０ｒ 表示体
２〜２ｓ 取付部材
３，３ｄ 係合解除防止体
８ カバー
１０，１０ａ 基部側開口
１０ａ 上部側開口部
１１〜１１ｔ 表側部
１２〜１２ｔ 裏側部
１４ 閉じ体
１３１，１３２ 折曲部
１６ 切欠部
１９ 収容部
２０〜２０ｅ 基板
２１〜２１ｅ 係止部材
２２，２３，２２ｃ，２３ｃ 側壁部
２４ 受部
２５，２６ 打ち付け部材
２７ 底板
２８ 側壁部
３１，３２ 傾斜部
３３ 折曲部
４１，４２ 締付固定具
４３ 締付固定具
５１ 打ち付け部材
６０ ワッシャー
６１ 締付固定具
６２ 受部
６３ 締付固定具
６４ 固定具止め体
７１，７２ 立て札
７１１，７２１  差込部
８０ 折曲部
８１ 仕切部
１１１，１１２ 差込孔
１１３ａ，１１４ａ 差込孔
１３１ 連結部
１３１，１３２ 連結部
２０１，２０２ 孔
２０３，２０４ 開口部
２５１ 先端部
２０５ 孔
２２１，２３１，２２１ｃ，２３１ｃ，２２１ｄ，２３１ｄ 係止突条部
２４１，２４２ 壁部
２４３ 隙間
５１１ 先端部
７１１，７２１ 差込部
１１５ａ，１１５ｂ，１２５ａ，１２５ｂ 係合孔
１１６ 補強板
１１７，１１７ａ 引張部材
１１８ 折曲部
１１９ 切れ目
２１５ａ，２１５ｂ 係合突起
２１６ 凹部
２１７ 径小部
２１８ 傾斜部
２７０ ビス
２７１ 孔
２７３ 凹部
Ｓ 空間部
９ 表示体
１５，１５ａ 差込孔
４４ 切欠部
４５ 端縁部
５２ 係止突部
５３ 基板
５４ 係止部材
７３ 重り体
７４ 形状保持体
７５ 打ち付け部材
８２ 土台
８３ 重り体取付部
９１ 表示部
９２ 取付帯
１１０ 表示部
１１５ａ〜１１５ｇ 係合孔
１１６ 補強板
１１７ 引張部材
１２０ 溝
１２１ 糊代部
１２２ 切欠部
１３０ 当接部
１４０ 突条部
１５０ａ，１５０ｂ，１５０ｃ 折返し片
１５１，１５１ｂ 切断線
１５２，１５２ｂ 折目
１５３ａ，１５３ｂ 切断線
１５４ 折目
２１０ 防止片
２１１ 切込部
２１２，２１３ 締付固定具
２１５〜２１５ｐ  係止突起
２１６ 凹部
２１９ 切込部
２２０ 孔
４１１ 切欠孔
４１２ 切込部
４４１ 切欠孔
５２０ 突部形成片
５２１，５２１ａ，５２１ｂ 縁部
５２２ 折返し片
５２３ａ，５２３ｂ 折目
５２４ 切込部
５２４ａ 角部
５２５ 切目
５２６ 掛止部
５２７ 切欠部
５３１ 開口部
５３２ 両縁部
５３３ 折目
５４０ 構成シート
５４１，５４２ 折目
５４３ 糊代片
５４５ 縁部
５５０ 構成シート
５５１，５１５ 基板シート
５５２ 折目
５５３ 切目
５５４ 内縁部
５５５，５５５ａ 係止部材シート
５６０ 構成シート
５６１，５６２ 切断線
５６３ 折目
５６４ 足部
７４１，１２２ 切欠部
７５１，７５２ 接合部
７５３ 回動防止体
７５４ 締付固定具
８２１ 貫通孔
８３１ 開口部
８３２ 掛止突起
９２１ 開口部
Ｓ１，Ｓ２ 載置スペース
２０ｓ 基体
１００ 表示シート
１０１ 表示面
１０２ 開口部
１２０ 溝
２００ 流体収容部
２００ 空所
２２０ 孔
２７０ 締付固定具
２７３ 凹部
６００ 突条部
６１１ 表面部
６１２ 孔
６１３ 収容凹部
６１４ 底面部
６１５ 凹み
６１６ 突部
６１７ 蓋
６１８ 流体充填部
６１９ 凹部
６２０ 孔
６２１ 残部片
６２２ 凹み
６２３ 溝
９１１ 表面部
【図１】
2007249159.tif 000003
【図２】
2007249159.tif 000004
【図３】
2007249159.tif 000005
【図４】
2007249159.tif 000006
【図５】
2007249159.tif 000007
【図６】
2007249159.tif 000008
【図７】
2007249159.tif 000009
【図８】
2007249159.tif 000010
【図９】
2007249159.tif 000011
【図１０】
2007249159.tif 000012
【図１１】
2007249159.tif 000013
【図１２】
2007249159.tif 000014
【図１３】
2007249159.tif 000015
【図１４】
2007249159.tif 000016
【図１５】
2007249159.tif 000017
【図１６】
2007249159.tif 000018
【図１７】
2007249159.tif 000019
【図１８】
2007249159.tif 000020
【図１９】
2007249159.tif 000021
【図２０】
2007249159.tif 000022
【図２１】
2007249159.tif 000023
【図２２】
2007249159.tif 000024
【図２３】
2007249159.tif 000025
【図２４】
2007249159.tif 000026
【図２５】
2007249159.tif 000027
【図２６】
2007249159.tif 000028
【図２７】
2007249159.tif 000029
【図２８】
2007249159.tif 000030
【図２９】
2007249159.tif 000031
【図３０】
2007249159.tif 000032
【図３１】
2007249159.tif 000033
【図３２】
2007249159.tif 000034
【図３３】
2007249159.tif 000035
【図３４】
2007249159.tif 000036
【図３５】
2007249159.tif 000037
【図３６】
2007249159.tif 000038
【図３７】
2007249159.tif 000039
【図３８】
2007249159.tif 000040
【図３９】
2007249159.tif 000041
【図４０】
2007249159.tif 000042
【図４１】
2007249159.tif 000043
【図４２】
2007249159.tif 000044
【図４３】
2007249159.tif 000045
【図４４】
2007249159.tif 000046
【図４５】
2007249159.tif 000047
【図４６】
2007249159.tif 000048
【図４７】
2007249159.tif 000049
【図４８】
2007249159.tif 000050
【図４９】
2007249159.tif 000051
【図５０】
2007249159.tif 000052